(57)【特許請求の範囲】
【請求項１】
遠隔操作装置が送信する操作信号によって遠隔操作される操作対象装置であって、
予め設定した予約時刻に予め設定した動作を自装置に実行させる予約実行手段と、
上記操作信号を受信する通信部と、
上記予約時刻と該予約を設定した遠隔操作装置とを対応付けて記憶する予約情報記憶部と、
上記予約時刻の所定時間前に、上記予約情報記憶部を参照して、当該予約に対応付けられている遠隔操作装置が送信する操作信号を上記通信部にて受信可能か否かを判断する予約元照合手段と、
上記予約元照合手段の判断結果に基づいて、上記予約実行手段による上記予め設定した動作の実行を制御する予約実行制御手段と、
予約の終了時刻に、上記遠隔操作装置からの送信信号を上記通信部にて受信することができるか判断し、受信することができない場合には自装置の動作を停止させ、受信することができる場合には自装置の動作を継続する予約終了時制御実行手段と、を備えていることを特徴とする操作対象装置。
【請求項２】
上記予約元照合手段は、上記通信部を介して送信した応答要求信号に対して上記遠隔操作装置から応答信号が返ってきた場合に、上記遠隔操作装置からの操作信号を受信可能と判断することを特徴とする請求項１に記載の操作対象装置。
【請求項３】
放送を受信して出力する被操作側放送受信出力部を備え、
上記予約実行手段は、予め設定した予約時刻に予め設定した放送を出力する予約の設定がなされた場合に、上記予約時刻に上記予め設定された放送を上記被操作側放送受信出力部に出力させることを特徴とする請求項１または２に記載の操作対象装置。
【請求項４】
放送を記録させる記録制御手段を備え、
上記予約元照合手段が、上記予約時刻に予め設定した放送を出力する予約の設定がなされている場合に、当該予約に対応付けられている遠隔操作装置が送信する操作信号を上記通信部にて受信できないと判断したときには、上記予約実行制御手段が、上記予約の設定がなされている放送を上記記録制御手段に記録させることを特徴とする請求項３に記載の操作対象装置。
【請求項５】
予約によって放送の記録が実行されている間に、当該予約に対応付けられている遠隔操作装置が送信する操作信号を上記通信部にて受信することができるようになった場合に、上記記録されている放送を記録されたデータの先頭から再生する記録中制御実行手段を備えていることを特徴とする請求項４に記載の操作対象装置。
【請求項６】
上記予約元照合手段が、上記遠隔操作装置が送信する操作信号を受信可能と判断したときに、上記遠隔操作装置を自装置の遠隔操作が不能な状態から可能な状態に遷移させる遠隔操作開始手段を備えていることを特徴とする請求項１から５の何れか１項に記載の操作対象装置。
【請求項７】
遠隔操作装置が送信する操作信号を受信する通信部を備え、該通信部にて受信した操作信号によって遠隔操作される操作対象装置の制御方法であって、
予め設定した予約時刻に予め設定した動作を自装置に実行させる予約実行ステップと、
上記予約時刻の所定時間前に、上記予約時刻と該予約を設定した遠隔操作装置とを対応付けて記憶する予約情報記憶部を参照して、当該予約に対応付けられている遠隔操作装置が送信する操作信号を上記通信部にて受信可能か否かを判断する予約元照合ステップと、
上記予約元照合ステップにおける判断結果に基づいて、上記予約実行ステップにおける予め設定した動作の実行を制御する予約実行制御ステップと、
予約の終了時刻に、自装置を操作可能な操作信号を上記通信部にて受信することができない場合には自装置の動作を停止させ、受信することができる場合には自装置の動作を継続するステップと、を含むことを特徴とする操作対象装置の制御方法。
【請求項８】
請求項１から６の何れか１項に記載の操作対象装置と、該操作対象装置に操作信号を送信して遠隔操作する遠隔操作装置とを含む遠隔操作システム。
【請求項９】
予め設定した予約時刻に予め設定した動作を実行する操作対象装置を遠隔操作する遠隔操作装置であって、
上記予約時刻の所定時間前に、上記操作対象装置が自装置の遠隔操作可能範囲に存在するか否かを判断する遠隔操作可否判断手段を備え、
上記遠隔操作可否判断手段が、上記操作対象装置が自装置の遠隔操作可能範囲に存在すると判断したときに、上記操作対象装置の遠隔操作が不能な状態から可能な状態に遷移し、
上記予約の終了時刻に、上記操作対象装置から応答要求を受信したときに、該応答要求に対して応答を返すことによって、上記操作対象装置に上記終了時刻以後も動作を継続させることを特徴とする遠隔操作装置。
【請求項１０】
上記予約時刻の所定時間前に、上記操作対象装置が予め定めた動作を実行中であることを示す状態情報を受信したときに、上記予め設定した動作の実行可否をユーザに選択させ、該ユーザの選択結果を上記操作対象装置に送信する実行可否選択手段を備えていることを特徴とする請求項９に記載の遠隔操作装置。
【請求項１１】
上記実行可否選択手段は、上記操作対象装置が、上記予約時刻に予め設定された放送を
出力する場合に、上記操作対象装置が放送を出力中であることを示す状態情報を受信したときに、上記予め設定された放送を上記予約時刻に出力するか否かをユーザに選択させることを特徴とする請求項１０に記載の遠隔操作装置。
【請求項１２】
放送を受信して出力する操作側放送受信出力部と、
上記操作対象装置が上記予約時刻に出力する放送の受信チャンネルを上記操作対象装置から取得するチャンネル情報取得手段とを備え、
上記実行可否選択手段は、上記操作対象装置が、上記予約時刻に予め設定された放送を出力する場合に、上記操作対象装置が放送を出力中であることを示す状態情報を受信したときに、上記予め設定された放送を上記操作側放送受信出力部にて出力するか否かをユーザに選択させ、出力するとの選択がなされたときに、上記チャンネル情報取得手段が取得したチャンネルの放送を上記操作側放送受信出力部に受信させることを特徴とする請求項１１に記載の遠隔操作装置。
【請求項１３】
予め設定した予約時刻に予め設定した動作を実行する操作対象装置を遠隔操作する遠隔操作装置の制御方法であって、
上記予約時刻の所定時間前に、上記操作対象装置が自装置の遠隔操作可能範囲に存在するか否かを判断する遠隔操作可否判断ステップと、
上記遠隔操作可否判断ステップにて、上記操作対象装置が自装置の遠隔操作可能範囲に存在すると判断したときに、上記操作対象装置の遠隔操作が不能な状態から可能な状態に遷移する遷移ステップと、
上記予約の終了時刻に、上記操作対象装置から応答要求を受信したときに、該応答要求に対して応答を返すことによって、上記操作対象装置に上記終了時刻以後も動作を継続させるステップと、を含むことを特徴とする遠隔操作装置の制御方法。
【請求項１４】
請求項９から１２の何れか１項に記載の遠隔操作装置と、該遠隔操作装置が送信する操作信号によって遠隔操作される操作対象装置とを含む遠隔操作システム。
【発明の詳細な説明】
【技術分野】
【０００１】
本発明は、遠隔操作装置によって遠隔操作され、予約設定を行うことにより予め定めた時刻に予め定めた予約動作を実行する操作対象装置等に関する。
【背景技術】
【０００２】
従来から、予め時刻及び動作を指定して、指定された時刻に指定された動作を電子機器に実行させる予約機能が様々な電子機器において広く採用されている。例えば、テレビでは、予め時刻及びチャンネルを指定しておくことで、指定された時刻に指定されたチャンネルの番組を自動的に出力する視聴予約を行うことができるものが一般に普及している。
【０００３】
視聴予約を行うことにより、開始時刻になると自動的に視聴予約した番組がテレビから出力される。したがって、ユーザは、見たい番組を予め視聴予約しておくことで、該番組を見逃すことを防ぐことができる。
【０００４】
しかしながら、テレビで視聴予約を行った場合に、ユーザが視聴予約を行ったことを忘れて、例えばテレビのある部屋から離れてしまったときには、視聴予約した番組を見逃してしまう可能性がある。
【０００５】
そこで、下記の特許文献１では、予約開始時刻よりも前にテレビからリモコンに信号を送り、リモコンから警告を発するようにしている。これにより、ユーザは、テレビのある部屋から離れてしまった場合であっても、予約開始時刻が近いことを認識することができ、視聴予約した番組を見逃してしまうことを防ぐことができる。
【０００６】
しかしながら、ユーザが視聴予約を行ったことを忘れて外出してしまった場合等には、外出時にリモコンを持ち出すことは考えにくいので、やはり視聴予約した番組を見逃してしまう可能性がある。また、外出時にリモコンを持ち出した場合であっても、視聴予約した番組を見るために帰宅できないことがあるので、視聴予約した番組を見逃してしまう可能性がある。
【０００７】
そこで、下記の特許文献２では、視聴予約の開始時刻にユーザがテレビの前に居ない場合には、視聴予約された番組を録画するようにしている。特許文献２に記載の技術について、図２８に基づいて説明する。図２８は従来技術を示すものであり、ユーザの在、不在に応じて視聴予約を録画に切り換える技術を説明する図である。
【０００８】
図示のように、特許文献２では、携帯端末から放送受信装置の視聴予約を行えるようにしている。視聴予約を行うことによって、放送の開始及び終了時刻、予約チャンネル等を含む予約情報が放送受信装置に格納される。
【０００９】
そして、視聴予約の開始時刻になったときに、放送受信装置は携帯端末と通信を行うことが可能であるか否かの判定を行う。そして、図示のように、通信が可能である場合には、予定通り視聴予約を実行し、通信ができない場合には、視聴予約されていた番組の録画を行っている。
【００１０】
携帯端末は、ユーザが所有しているものであるから、放送受信装置と携帯端末とが通信を行うことができる場合には、ユーザは放送受信装置に近辺に居ると考えられる。一方、放送受信装置と携帯端末とが通信を行うことができない場合には、ユーザは放送受信装置に近辺に居ないと考えられる。
【００１１】
すなわち、上記特許文献２の構成によれば、ユーザの不在時に視聴予約が自動的に録画に切り換えられる。そのため、ユーザは、視聴予約した番組の開始時刻に放送受信装置の近辺に居るか居ないかに関わらず、視聴予約した番組を見逃すことがなくなる。
【特許文献１】特開２００６−２５４２６４号公報（２００６年９月２１日公開）
【特許文献２】特開２００３−２３００６４号公報（２００３年８月１５日公開）
【発明の開示】
【発明が解決しようとする課題】
【００１２】
しかしながら、上記従来の構成では、複数のユーザがそれぞれ携帯端末を所有している場合に、ユーザが視聴予約した番組を見逃してしまうという問題を生じる。
【００１３】
すなわち、上記従来の構成では、上記複数のユーザが所有している携帯端末の少なくとも１つが放送受信装置の通信可能範囲内にある場合には、予定通り視聴予約が実行される。このため、視聴予約を行ったユーザが例えば外出中で放送受信装置の近辺に居らず、視聴予約を行ったユーザ以外のユーザが放送受信装置の近辺に居る場合には、視聴予約が実行されてしまう。
【００１４】
この場合には、視聴予約を行っていないユーザは、見ようとも思っていない番組が不意に放送受信装置から出力されるので戸惑うことになり、視聴予約を行ったユーザは見たかった番組を見逃してしまう。
【００１５】
本発明は、上記の問題点に鑑みてなされたものであり、その目的は、予約を行ったユーザが操作対象装置の近辺に居るか居ないかに応じて、予約された動作の実行が制御される操作対象装置等を実現することにある。
【課題を解決するための手段】
【００１６】
本発明の操作対象装置は、上記課題を解決するために、遠隔操作装置が送信する操作信号によって遠隔操作される操作対象装置であって、予め設定した予約時刻に予め設定した動作を自装置に実行させる予約実行手段と、上記操作信号を受信する通信部と、上記予約時刻と該予約を設定した遠隔操作装置とを対応付けて記憶する予約情報記憶部と、上記予約時刻の所定時間前に、上記予約情報記憶部を参照して、当該予約に対応付けられている遠隔操作装置が送信する操作信号を上記通信部にて受信可能か否かを判断する予約元照合手段と、上記予約元照合手段の判断結果に基づいて、上記予約実行手段による上記予め設定した動作の実行を制御する予約実行制御手段とを備えていることを特徴としている。
【００１７】
また、本発明の操作対象装置の制御方法は、上記課題を解決するために、遠隔操作装置が送信する操作信号を受信する受信部を備え、該受信部にて受信した操作信号によって遠隔操作される操作対象装置の制御方法であって、予め設定した予約時刻に予め設定した動作を自装置に実行させる予約実行ステップと、上記予約時刻の所定時間前に、上記予約時刻と該予約を設定した遠隔操作装置とを対応付けて記憶する予約情報記憶部を参照して、当該予約に対応付けられている遠隔操作装置が送信する操作信号を上記通信部にて受信可能か否かを判断する予約元照合ステップと、上記予約元照合ステップにおける判断結果に基づいて、上記予約実行ステップにおける上記予め設定した動作の実行を制御する予約実行制御ステップとを含むことを特徴としている。
【００１８】
上記の構成によれば、予約情報記憶部に予約時刻と該予約を設定した遠隔操作装置とが対応付けて記憶されている。したがって、上記予約情報記憶部を参照することにより、上記通信部にて上記遠隔操作装置が送信する操作信号または他の電子機器が送信する操作信号を受信できる場合に、受信できる操作信号が、予約に対応付けられている遠隔操作装置が送信する操作信号であるか否かを判断することができる。
【００１９】
したがって、上記の構成によれば、予約を行ったユーザが操作対象装置の近辺に居るか居ないかに応じて、予約された動作の制御を実行することができる。これにより、操作対象装置に複数のユーザが存在し、各ユーザが遠隔操作装置を所有している場合にも対応することができる。
【００２０】
なお、予約に対応付けられている遠隔操作装置が送信する操作信号を上記通信部にて受信可能か否かを判断する具体的な方法は特に限定されない。
【００２１】
例えば、操作対象装置から遠隔操作装置へと応答要求を送信し、応答要求信号を受信した遠隔操作装置が返答信号及び自装置の識別情報を操作対象装置に送信する方法が挙げられる。これにより、操作対象装置は、受信した識別情報が示す遠隔操作装置と、予約に対応付けられている遠隔操作装置とが一致するか否かを確認することにより、予約に対応付けられている遠隔操作装置が送信する操作信号を上記通信部にて受信可能か否かを判断することができる。
【００２２】
また、例えば、操作対象装置から遠隔操作装置へと応答要求信号及び予約に対応付けられた遠隔操作装置を示す識別情報を送信し、応答要求信号及び識別情報を受信した遠隔操作装置が、上記識別情報が自装置を示すものである場合に、返答信号を操作対象装置に送信する方法も適用可能である。この場合には、操作対象装置は、返答信号を受信したときに、予約に対応付けられている遠隔操作装置が送信する操作信号を上記通信部にて受信可能であると判断することができる。
【００２３】
なお、上記予約元照合手段は、上記通信部を介して送信した応答要求信号に対して上記遠隔操作装置から応答信号が返ってきた場合に、上記遠隔操作装置からの操作信号を受信可能と判断することが好ましい。
【００２４】
上記予約元照合手段は、上記予約に対応付けられた遠隔操作装置からの操作信号を受信可能か否かを判断できるものであればよく、例えば上記通信部とは異なる通信部を用いて応答要求信号の送信及び該応答要求信号に対する返答信号の受信確認を行うものであってもよい。
【００２５】
しかしながら、上記の構成のように、操作信号の受信に用いられる通信部を介して応答要求信号を送信し、該応答要求信号に対する上記遠隔操作装置からの応答信号の受信確認を行う場合には、操作信号の受信用の通信部を利用して、予約に対応付けられた遠隔操作装置からの操作信号を受信可能か否かを判断することができるので、操作対象装置の構成を簡略化することができる。
【００２６】
また、上記操作対象装置は、放送を受信して出力する被操作側放送受信出力部を備え、上記予約実行手段は、予め設定した予約時刻に予め設定した放送を出力する予約の設定がなされた場合に、上記予約時刻に上記予め設定された放送を上記被操作側放送受信出力部に出力させることが好ましい。
【００２７】
上記操作対象装置は、どのような動作の予約が行われるものであってもよい。しかしながら、上記操作対象装置は、ユーザが予約時刻に操作対象装置の近辺に居るか居ないかに応じて予約された動作を制御するので、ユーザが予約時刻に操作対象装置の近辺に居る場合と居ない場合とで予約された動作を変更することが好ましい上記のような構成に特に好適である。
【００２８】
なお、ここで、放送とは、テレビやラジオのように無線通信で配信されるものの他、インターネット等のように有線通信にて配信されるものも含む。
【００２９】
また、上記操作対象装置は、放送を記録させる記録制御手段を備え、上記予約元照合手段が、予約時刻に放送を出力する予約の設定がなされている場合に、当該予約に対応付けられている遠隔操作装置が送信する操作信号を上記通信部にて受信できないと判断したときには、上記予約実行制御手段が、上記予約の設定がなされている放送を上記記録制御手段に記録させることが好ましい。
【００３０】
上記の構成によれば、予約時刻に放送を出力する予約の設定を行った遠隔操作装置のユーザが、予約時刻に操作対象装置の操作可能範囲に居なかった場合に、上記予約された放送が記録される。したがって、ユーザは、予約時刻に操作対象装置の操作可能範囲に居る場合には、予約した放送が予約時刻に自動的に出力されるので、この放送を見逃す（あるいは聞き逃す）ことがなく、また予約時刻に操作対象装置の操作可能範囲に居なかった場合にも記録された放送を後で見る（または聞く）ことができる。
【００３１】
なお、放送の記録とは、放送が映像及び音声からなる場合には録画を指し、音声のみからなる場合には録音を指す。また、放送の記録は、操作対象装置内部で行われるものであってもよいし、他の装置に記録させるものであってもよい。
【００３２】
また、上記操作対象装置は、予約によって放送の記録が実行されている間に、当該予約に対応付けられている遠隔操作装置が送信する操作信号を上記通信部にて受信することができるようになった場合に、上記記録されている放送を記録されたデータの先頭から再生する記録中制御実行手段を備えていることが好ましい。
【００３３】
上記の構成によれば、予約に対応付けられた遠隔操作装置のユーザが予約時間に遅れて操作対象装置の操作可能範囲に入った場合に、予約した放送を先頭から見る（または聞く）ことができる。
【００３４】
なお、予約によって放送の記録が実行されるとは、予約に対応付けられている遠隔操作装置が送信する操作信号を上記通信部にて受信できないことによって放送が記録されるか、または放送の記録を実行するように予約することによって放送が記録されることを示す。放送の記録を実行するように予約する場合であっても、予約と遠隔操作装置とを対応付けて予約情報記憶部に記憶するものとする。
【００３５】
ところで、ユーザが上記予約した放送を先頭から見たいとは限らない。そこで、遠隔操作装置は、操作対象装置を操作可能な状態となったときに、予約した放送を先頭から見るか否かをユーザに選択させるようにすることが好ましい。
【００３６】
また、上記予約実行手段は、予め設定した予約時刻から予め設定した終了時刻までの間、予め設定した動作を自装置に実行させるものであり、予約の終了時刻に、自装置を操作可能な操作信号を上記通信部にて受信することができない場合に、自装置の動作を停止させる予約終了時制御実行手段を備えていることが好ましい。
【００３７】
上記の構成によれば、予約の終了時刻に遠隔操作装置のユーザが操作対象装置の操作可能範囲を離れている場合に、操作対象装置の動作が自動的に停止される。したがって、ユーザの不在時に操作対象装置が無駄に動作することを防ぐことができる。
【００３８】
なお、予約の終了時刻には、上記構成のように、予約に対応付けて記憶されている遠隔操作装置に限らず、操作対象装置を操作可能な任意の装置からの操作信号が受信できない場合に、操作対象装置の動作を停止させることが好ましい。予約に対応付けて記憶されている遠隔操作装置のユーザが操作対象装置の近辺から離れた場合であっても、他のユーザが操作対象装置を使用している可能性があるからである。
【００３９】
また、上記操作対象装置と、該操作対象装置に操作信号を送信して遠隔操作する遠隔操作装置とを含む遠隔操作システムであれば、上記操作対象装置と同様の効果を奏する。
【００４０】
ここで、上記特許文献２に記載の技術では、携帯端末（ＰＤＡ：Personal Digital Assistance）にて放送受信装置を遠隔操作している。ここで、ＰＤＡは、そもそも放送受信装置の操作専用の装置ではなく、通常はスケジュール管理等に用いられる。したがって、ＰＤＡを常に放送受信装置を遠隔操作可能な状態とすることは、ＰＤＡの操作性を低下させると共に、消費電力の増大にもつながるので好ましくない。
【００４１】
本発明の上記とは別の操作対象装置は、上記課題を解決するために、遠隔操作装置が送信する操作信号によって遠隔操作され、予め設定した予約時刻に予め設定した動作を実行する操作対象装置であって、上記予約時刻の所定時間前に、上記遠隔操作装置が送信する操作信号を受信可能か否かを判断する操作信号受信可否判断手段と、上記操作信号受信可否判断手段が、上記遠隔操作装置が送信する操作信号を受信可能と判断したときに、上記遠隔操作装置を自装置の遠隔操作が不能な状態から可能な状態に遷移させる遠隔操作開始手段とを備えていることを特徴としている。
【００４２】
また、本発明の上記とは別の操作対象装置の制御方法は、上記課題を解決するために、遠隔操作装置が送信する操作信号によって遠隔操作され、予め設定した予約時刻に予め設定した動作を実行する操作対象装置の制御方法であって、上記予約時刻の所定時間前に、上記遠隔操作装置が送信する操作信号を受信可能か否かを判断する操作信号受信可否判断ステップと、上記操作信号受信可否判断ステップにて、上記遠隔操作装置が送信する操作信号を受信可能と判断したときに、上記遠隔操作装置を自装置の遠隔操作が不能な状態から可能な状態に遷移させる遠隔操作開始ステップとを含むことを特徴としている。
【００４３】
上記の構成によれば、予約時刻に操作対象装置を操作可能な遠隔操作装置が、自動的に操作対象装置の遠隔操作が可能な状態となる。したがって、遠隔操作装置のユーザは、予約時刻に操作対象装置を操作可能な範囲内に居るだけで、何ら操作を行うことなく、操作対象装置を遠隔操作することができる。
【００４４】
これは、特に遠隔操作装置が操作対象装置を遠隔操作する機能以外の機能も備えている場合に有用である。例えば、遠隔操作装置が携帯電話機やＰＤＡとしての機能も備えている場合には、常に遠隔操作装置にて操作対象装置の操作を行えるようにすることは実用上好ましくない。このような場合に、上記本発明の構成を適用することにより、遠隔操作する機能を使用するタイミングで自動的に遠隔操作が可能になるので、ユーザの操作性を高めることができる。また、上記の構成によれば、遠隔操作装置を常に操作対象装置の遠隔操作が可能な状態とする必要がないので、遠隔操作装置の消費電力が増大することもない。
【００４５】
また、本発明の遠隔操作装置は、予め設定した予約時刻に予め設定した動作を実行する操作対象装置を遠隔操作する遠隔操作装置であって、上記予約時刻の所定時間前に、上記操作対象装置が自装置の遠隔操作可能範囲に存在するか否かを判断する遠隔操作可否判断手段を備え、上記遠隔操作可否判断手段が、上記操作対象装置が自装置の遠隔操作可能範囲に存在すると判断したときに、上記操作対象装置の遠隔操作が不能な状態から可能な状態に遷移することを特徴としている。
【００４６】
そして、本発明の遠隔操作装置の制御方法は、予め設定した予約時刻に予め設定した動作を実行する操作対象装置を遠隔操作する遠隔操作装置の制御方法であって、上記予約時刻の所定時間前に、上記操作対象装置が自装置の遠隔操作可能範囲に存在するか否かを判断する遠隔操作可否判断ステップと、上記遠隔操作可否判断ステップにて、上記操作対象装置が自装置の遠隔操作可能範囲に存在すると判断したときに、上記操作対象装置の遠隔操作が不能な状態から可能な状態に遷移する遷移ステップとを含むことを特徴としている。
【００４７】
上記の構成によれば、予約時刻に操作対象装置を操作可能な遠隔操作装置が、自動的に操作対象装置の遠隔操作が可能な状態となる。したがって、上記の構成によれば、上記操作対象装置と同様の効果を奏する。
【００４８】
また、予約時刻の所定時間前に、遠隔操作装置が送信する操作信号を受信可能か否かを判断する操作信号受信可否判断手段と、上記操作信号可否判断手段が、上記遠隔操作装置が送信する操作信号を受信可能と判断したときに、上記遠隔操作装置を自装置の遠隔操作が不能な状態から可能な状態に遷移させる遠隔操作開始手段とを備える操作対象装置と、該操作対象装置に操作信号を送信して遠隔操作する遠隔操作装置とを含む遠隔操作システムであれば、上記操作対象装置と同様の効果を奏する。
【００４９】
そして、予約時刻の所定時間前に、操作対象装置が自装置の遠隔操作可能範囲に存在するか否かを判断する遠隔操作可否判断手段を備え、上記遠隔操作可否判断手段が、上記操作対象装置が自装置の遠隔操作可能範囲に存在すると判断したときに、上記操作対象装置の遠隔操作が不能な状態から可能な状態に遷移する遠隔操作装置と、該遠隔操作装置が送信する操作信号によって遠隔操作される操作対象装置とを含む遠隔操作システムであれば、上記遠隔操作装置と同様の効果を奏する。
【００５０】
ここで、上記特許文献２に記載の技術を含め、従来は予約を実行するときに、そのときの操作対象装置の状態が全く考慮されていないという問題がある。例えば、特許文献２に記載の技術では、予約開始時に放送受信装置にて携帯端末のユーザ以外の人物がテレビの視聴を行っている場合にも、視聴予約が実行されてしまうので、上記人物のテレビ視聴が妨げられてしまう。
【００５１】
本発明の上記とはさらに別の遠隔操作装置は、上記課題を解決するために、予め設定した予約時刻に予め設定した動作を実行する操作対象装置を遠隔操作する遠隔操作装置であって、上記予約時刻の所定時間前に、上記操作対象装置が予め定めた動作を実行中であることを示す状態情報を受信したときに、上記予め設定した動作の実行可否をユーザに選択させ、該ユーザの選択結果を上記操作対象装置に送信する実行可否選択手段を備えていることを特徴としている。
【００５２】
本発明の上記とはさらに別の遠隔操作装置の制御方法は、上記課題を解決するために、予め設定した予約時刻に予め設定した動作を実行する操作対象装置を遠隔操作する遠隔操作装置の制御方法であって、上記予約時刻の所定時間前に、上記操作対象装置が予め定めた動作を実行中であることを示す状態情報を受信したときに、上記予め設定した動作の実行可否をユーザに選択させる実行可否選択ステップと、上記ユーザの選択結果を上記操作対象装置に送信する選択結果送信ステップとを含むことを特徴としている。
【００５３】
上記視聴予約の例のように、操作対象装置が特定の動作を実行している場合には、予約を設定どおり実行することが好ましくないことがある。そこで、上記の構成では、操作対象装置が予め定めた動作を実行中であることを示す状態情報を受信したときに、上記予め設定した動作（予約した動作）の実行可否をユーザに選択させている。
【００５４】
したがって、上記の構成によれば、ユーザは、予約が実行されるときに、必要に応じて予約の実行可否を選択し、選択した処理を操作対象装置に実行させることができる。すなわち、上記の構成によれば、ユーザは、予約実行時の状況に応じた柔軟な対応を採ることが可能になる。
【００５５】
また、上記実行可否選択手段は、上記操作対象装置が、上記予約時刻に予め設定された放送を出力する場合に、上記操作対象装置が放送を出力中であることを示す状態情報を受信したときに、上記予め設定された放送を上記予約時刻に出力するか否かをユーザに選択させることが好ましい。
【００５６】
予約時刻に予め設定された放送を出力する予約が設定されている場合に、操作対象装置が放送を出力中であるときには、予約時刻になると、操作対象装置が出力中の放送が、予約設定されている放送に切り換わる。予約時刻に操作対象装置が放送を出力中であるということは、遠隔操作装置のユーザ以外の人物が操作対象装置にて放送を視聴している、あるいは聞いている可能性があることを意味しているので、このような場合に、無条件で予約動作を実行することは好ましくない。
【００５７】
そこで、上記の構成によれば、予め設定された放送（予約した放送）を上記予約時刻に出力するか否かをユーザに選択させている。したがって、ユーザは、遠隔操作装置のユーザ以外の人物が操作対象装置にて放送を視聴している、あるいは聞いている場合に、予約を実行しないことを選択することができる。
【００５８】
また、上記遠隔操作装置は、放送を受信して出力する操作側放送受信出力部と、上記操作対象装置が上記予約時刻に出力する放送の受信チャンネルを上記操作対象装置から取得するチャンネル情報取得手段とを備え、上記実行可否選択手段は、上記操作対象装置が、上記予約時刻に予め設定された放送を出力する場合に、上記操作対象装置が放送を出力中であることを示す状態情報を受信したときに、上記予め設定された放送を上記操作側放送受信出部にて出力するか否かをユーザに選択させ、出力するとの選択がなされたときに、上記チャンネル情報取得手段が取得したチャンネルの放送を上記操作側放送受信出力部に出力させることが好ましい。
【００５９】
上記の構成によれば、予約時刻に操作対象装置が放送を出力中である場合に、予約した放送を遠隔操作装置にて受信し、出力することができる。したがって、上記遠隔操作装置のユーザは、他の人物が操作対象装置にて放送を視聴している、あるいは聞いている場合に、上記人物の視聴を妨げず、かつ予約した放送を視聴することができる。
【００６０】
また、上記遠隔操作装置と、該遠隔操作装置によって遠隔操作され、予め設定した予約時刻に予め設定した動作を実行する操作対象装置であって、上記予約時刻の所定時間前に、自装置の動作状態を示す状態情報を上記遠隔操作装置に送信する操作対象装置とを含む遠隔操作システムであれば、上記遠隔操作装置と同様の効果を奏する。
【００６１】
なお、上記操作対象装置及び遠隔操作装置は、コンピュータによって実現してもよく、この場合には、コンピュータを上記操作対象装置または遠隔操作装置の各手段として動作させることにより、上記操作対象装置または遠隔操作装置をコンピュータにて実現させる制御プログラム、及びそれを記録したコンピュータ読み取り可能な記録媒体も本発明の範疇に入る。
【発明の効果】
【００６２】
以上のように、本発明の操作対象装置は、予め設定した予約時刻に予め設定した動作を自装置に実行させる予約実行手段と、操作信号を受信する通信部と、上記予約時刻と該予約を設定した遠隔操作装置とを対応付けて記憶する予約情報記憶部と、上記予約時刻の所定時間前に、上記予約情報記憶部を参照して、当該予約に対応付けられている遠隔操作装置が送信する操作信号を上記通信部にて受信可能か否かを判断する予約元照合手段と、上記予約元照合手段の判断結果に基づいて、上記予約実行手段による上記予め設定した動作の実行を制御する予約実行制御手段とを備えている構成である。
【００６３】
また、本発明の操作対象装置の制御方法は、以上のように、予め設定した予約時刻に予め設定した動作を自装置に実行させる予約実行ステップと、上記予約時刻の所定時間前に、上記予約時刻と該予約を設定した遠隔操作装置とを対応付けて記憶する予約情報記憶部を参照して、当該予約に対応付けられている遠隔操作装置が送信する操作信号を上記通信部にて受信可能か否かを判断する予約元照合ステップと、上記予約元照合ステップにおける判断結果に基づいて、上記予約実行ステップにおける上記予め設定した動作の実行を制御する予約実行制御ステップとを含む構成である。
【００６４】
したがって、予約を行ったユーザが操作対象装置の近辺に居るか居ないかに応じて、予約された動作の制御を実行することができるという効果を奏する。これにより、操作対象装置に複数のユーザが存在し、各ユーザが遠隔操作装置を所有している場合にも対応することができる。
【発明を実施するための最良の形態】
【００６５】
〔実施の形態１〕
本発明の一実施形態について、図１から図１１に基づいて説明すると以下の通りである。
【００６６】
〔遠隔操作システム１００の概要〕
図２は、遠隔操作システム１００の要部構成を示すブロック図である。図示のように、遠隔操作システム１００は、操作対象装置２００及び遠隔操作装置３００を備えている。遠隔操作システム１００は、操作対象装置２００を遠隔操作装置３００にて操作するシステムである。ここでは、遠隔操作装置３００が携帯電話機であり、操作対象装置２００がテレビジョン受像機であることを想定している。
【００６７】
なお、遠隔操作システム１００は、遠隔操作装置３００にて操作対象装置２００を操作可能なシステムであればよく、この例に限定されない。例えば、遠隔操作装置３００は、操作信号を送信して操作対象装置２００を操作する機能を備えていればよく、ＰＤＡ、ＰＨＳ（Personal handy Phone System）、ノート型パソコン、携帯型ゲーム機等であってもよい。もちろん、遠隔操作装置３００は、操作対象装置２００を操作するための専用リモコンであってもよい。また、操作対象装置２００は、遠隔操作装置３００が送信する操作信号を受信して動作制御されるものであればよく、例えばパーソナルコンピュータ、録画装置、音楽プレーヤー、エアーコンディショナー等であってもよい。
【００６８】
〔操作対象装置２００の構成〕
操作対象装置２００は、図示のように、チューナ２０１、音声出力部２０２、操作対象装置制御部２０３、表示部２０４、操作部２０５、一時記憶部２０６、操作対象装置記憶部２０７、被操作側第１通信部２０８、被操作側第２通信部２０９、及びＷｅｂ通信部２１０を備えている。
【００６９】
チューナ２０１は、操作対象装置制御部２０３が指定するチャンネルの放送波を選択して受信し、これを所定の信号に変換して出力する。操作対象装置２００は、この信号にデコード等の処理を施すことによって、受信したチャンネルの映像や音声を出力する。なお、チューナ２０１は、放送波の受信及び受信した放送波の所定の信号への変換機能を備えていればよく、例えば地上デジタルチューナ、ＢＳ、ＣＳチューナ等、必要に応じて従来の一般的なものを適用することもできる。
【００７０】
音声出力部２０２は、チューナ２０１の出力及び操作対象装置制御部２０３の指示に基づいて音声を操作対象装置２００の外部に出力する。音声出力部２０２は、例えばスピーカで構成することができる。
【００７１】
操作対象装置制御部２０３は、操作対象装置２００の動作を統括して制御するものであり、例えばＣＰＵ（Central Processing Unit）等で構成することができる。操作対象装置制御部２０３は、例えばＲＡＭ（Random Access Memory）等で構成される一時記億部２０６を作業領域として動作する。なお、操作対象装置制御部２０３が行う処理の詳細については、後に詳しく説明する。
【００７２】
表示部２０４は、チューナ２０１の出力及び操作対象装置制御部２０３の指示に基づいて映像を表示する表示装置である。例えば、ＬＣ（Liquid Crystal）表示パネルやＥＬ（Electro Luminescence）表示パネル、ＣＲＴ（cathode-ray tube）表示装置等を表示部２０４として適用することができる。
【００７３】
操作部２０５は、ユーザが操作対象装置２００に操作入力を行うためのものである。操作部２０５は、ユーザが所望の操作入力を行えるものであればよく、特に限定されない。ここでは、操作部２０５として各種操作入力に対応する操作キーが設けられていることを想定している。具体的には、チャンネルの変更、音量の増減、操作対象装置２００の電源のオン／オフ等の操作入力用の操作キーがそれぞれ設けられていることを想定している。
【００７４】
操作対象装置記憶部２０７は、図示のように、プログラム及びデータを格納している。操作対象装置２００は、操作対象装置記憶部２０７に格納されているプログラムを、操作対象装置制御部２０３が一時記憶部２０６に読み出して実行することによって予め定められた動作を実行する。
【００７５】
被操作側第１通信部２０８及び被操作側第２通信部２０９は、操作対象装置２００が外部の機器と通信を行うためのものである。被操作側第１通信部２０８は、操作側第１通信部３０１と通信可能に構成されており、被操作側第２通信部２０９は、操作側第２通信部３０２と通信可能に構成されている。被操作側第１通信部２０８及び被操作側第２通信部２０９の詳細については後述する。
【００７６】
Ｗｅｂ通信部２１０は、ネットワークに接続して通信を行うためのものである。なお、ここではＷｅｂ通信部２１０は、インターネットに接続して通信を行うことを想定しているが、Ｗｅｂ通信部２１０は、イントラネット、エキストラネット、ＬＡＮ、ＩＳＤＮ、ＶＡＮ、ＣＡＴＶ通信網、仮想専用網（virtual private network）、または電話回線網等に接続して通信を行うものであってもよい。
【００７７】
〔遠隔操作装置３００の構成〕
遠隔操作装置３００は、図示のように、操作側第１通信部３０１、操作側第２通信部３０２、電話・Ｗｅｂ通信部３０３、音声入力部３０４、音声出力部３０５、遠隔操作装置制御部３０６、表示部３０７、操作部３０８、一時記憶部３０９、及び遠隔操作装置記憶部３１０を備えている。
【００７８】
操作側第１通信部３０１及び操作側第２通信部３０２は、遠隔操作装置３００が外部の機器と通信を行うためのものである。操作側第１通信部３０１は、被操作側第１通信部２０８と通信可能に構成されており、操作側第２通信部３０２は、被操作側第２通信部２０９と通信可能に構成されている。操作側第１通信部３０１及び操作側第２通信部３０２の詳細については後述する。
【００７９】
電話・Ｗｅｂ通信部３０３は、携帯電話網等を介して、他の携帯電話機や一般電話機と通話を行ったり、インターネットに接続して通信を行ったりするためのものである。これらの機能は図示しない電話網通信部及び携帯回線部によって実現される。電話・Ｗｅｂ通信部３０３は、少なくとも通話機能を備えているものであればよく、従来の携帯電話機等で使用されているものを適用することもできる。
【００８０】
音声入力部３０４は、例えば通話時等において遠隔操作装置３００に音声信号を入力するためのものであり、音声出力部３０５は、通話時等において電話・Ｗｅｂ通信部３０３が受信した音声信号等に基づいて音声を出力するためのものである。また、音声出力部３０５は、電話やメール等の着信を示す音声等も出力する。音声入力部３０４及び音声出力部３０５は、それぞれ音声の入力及び出力ができるものであればよく、従来の携帯電話機等で使用されているものを適用することもできる。
【００８１】
遠隔操作装置制御部３０６は、遠隔操作装置３００の動作を統括して制御するものであり、例えばＣＰＵ等で構成することができる。遠隔操作装置制御部３０６は、例えばＲＡＭ等で構成される一時記億部３０９を作業領域として動作する。なお、遠隔操作装置制御部３０６が行う処理の詳細については、後に詳しく説明する。
【００８２】
表示部３０７は、遠隔操作装置制御部３０６の指示に従って画像を表示するものであり、図示していないが、遠隔操作装置制御部３０６と表示部３０７との間には、ＶＤＰ（Video Display Processor）及びＶＲＡＭ（video RAM）等の画像を表示するために必要な構成が適宜設けられている。表示部３０７は、例えばＬＣ表示パネルやＥＬ表示パネル等で構成することができる。
【００８３】
操作部３０８は、遠隔操作装置３００のユーザが遠隔操作装置３００に操作入力を行うためのものであり、ユーザが所望の操作入力を行えるものであれば特に限定されない。なお、ここでは、操作部３０８は、遠隔操作装置３００の本体表面に設けられた操作キーであることを想定している。具体的には、操作キーとして、メールに関連するメニュー画面やインターネット接続に関するメニュー画面等を表示部３０７に表示させる各種メニューキーや、表示部３０７に表示される項目を選択するための上下左右の方向キー、選択された項目を決定する決定キー、数字や文字を入力するための文字入力キー等を含む複数の操作キーを備えていることを想定している。
【００８４】
遠隔操作装置記憶部３１０は、図示のように、プログラム及びデータを格納している。遠隔操作装置３００は、遠隔操作装置記憶部３１０に格納されているプログラムを、遠隔操作装置制御部３０６が一時記憶部３０９に読み出して実行することによって予め定められた動作を実行する。また、例えば電話・Ｗｅｂ通信部３０３が受信したメール等のデータや、遠隔操作装置３００のユーザが記録した電話番号やメールアドレス等のデータが遠隔操作装置記憶部３１０に格納されるようになっている。
【００８５】
〔発明の前提〕
操作対象装置２００は、動作予約を行うことによって動作予約された時刻に予め定めた動作を実行する。なお、ここでは、動作予約はテレビ番組の視聴予約または録画予約であることを想定している。視聴予約とは、予め設定した時刻に予め設定したチャンネルのテレビ番組を操作対象装置２００に出力させる設定である。また、録画予約とは、予め設定した時刻に予め設定したチャンネルのテレビ番組を録画する設定である。ここでは、録画予約された時刻に操作対象装置２００が、該操作対象装置２００とデータ送受信可能に接続された録画装置に指示を送り、該録画装置にて録画を実行させることを想定しているが、操作対象装置２００が録画機能を備えている構成としてもよい。また、操作対象装置２００は、Ｗｅｂ通信部２１０を備えているので、ネットワークを介して配信されるコンテンツを所定の時間に出力するように予約することもできる。
【００８６】
なお、動作予約は、操作対象装置２００または操作対象装置２００に接続された機器に所定の時刻に所定の動作を実行させるものであればよく、上記の例に限られない。例えば、例えば、操作対象装置２００が音楽プレーヤーである場合には、予め設定した時刻に音楽を出力させる設定、及びラジオ等の放送を出力させる設定も動作予約に含まれる。さらに、空調装置を予め設定した時刻に動作開始または動作終了させる設定、炊飯器等の調理装置や洗濯機等を予め設定した時刻に動作開始または動作終了させる設定も動作予約に含まれる。すなわち、操作対象装置２００は、予め設定した時刻に予め定めた動作を実行するように設定する動作予約設定を行うことができるものであればよい。
【００８７】
遠隔操作装置３００は、操作信号を送信して操作対象装置２００を遠隔操作する装置である。具体的には、遠隔操作装置３００は、操作側第２通信部３０２を介して操作対象装置２００に操作信号を送信することによって、操作対象装置２００を遠隔操作する。
【００８８】
また、遠隔操作装置３００が操作対象装置２００を遠隔操作可能な状態にあるか否かを操作対象装置２００側から判断できるようになっている。具体的には、遠隔操作装置３００は、操作対象装置２００から応答要求を受信したときに、該操作対象装置２００に応答を返す。なお、この応答要求の受信及び応答の送信は、操作対象装置２００を操作するための操作信号の送信に用いる操作側第２通信部３０２を介して行う。
【００８９】
遠隔操作装置３００が応答要求を受信し、それに対して返答を送信できるということは、遠隔操作装置３００と操作対象装置２００とが操作側第２通信部３０２を介して通信可能であることを示している。すなわち、操作対象装置２００は、応答が返ってきたときには遠隔操作装置３００が当該操作対象装置２００を操作可能な状態にあると判断することができ、応答が返ってこないときには操作可能な状態にはないと判断することができる。
【００９０】
このように、操作信号の送信に用いる操作側第２通信部３０２を介した通信の可否によって、遠隔操作装置３００が操作対象装置２００を操作可能な状態にあるか否かを判断する場合には、遠隔操作装置３００が操作対象装置２００を操作可能な状態にあるか否かを判断するための手段を別途設ける必要がないので好ましい。
【００９１】
また、操作側第２通信部３０２は、例えばＢｌｕｅｔｏｏｔｈ（登録商標）等の近距離〜中距離（半径３０ｍ以内程度）の通信可能範囲を有する通信手段で構成することが好ましい。本発明では、操作側第２通信部３０２を介した通信の可否によって、ユーザが操作対象装置２００の近辺に居るか否かを判定するためである。本実施形態では、操作側第２通信部３０２がＢｌｕｅｔｏｏｔｈにて通信を行うことを想定しているが、操作側第２通信部３０２は、操作対象装置２００と信号の送受信を行うことができるものであればよく、ＺｉｇＢｅｅ、ＵＷＢ（Ultra Wide Band）、８０２．１１無線（例えば無線ＬＡＮ）等を適用することもできる。
【００９２】
なお、遠隔操作システム１００では、遠隔操作装置３００が操作対象装置２００を操作可能な状態にあるか否かを操作対象装置２００側から判断できるようになっていればよく、遠隔操作装置３００が操作対象装置２００を操作可能な状態にあるか否かを判断する方法は上記の例に限られない。
【００９３】
例えば、遠隔操作装置３００が応答要求を送信し、操作対象装置２００がそれに対して応答を返し、その応答に対して遠隔操作装置３００がさらに応答受信通知を返すようにしてもよい。この場合には、操作対象装置２００は、応答受信通知を受信したときに、遠隔操作装置３００が操作対象装置２００を操作可能な状態にあると判断することができる。
【００９４】
また、操作対象装置２００の設置場所が固定されている場合には、遠隔操作装置３００にＧＰＳ（Global Positioning System）を搭載し、ＧＰＳにて遠隔操作装置３００が操作対象装置２００の操作可能範囲に入ったことを検出する方法も適用可能である。この場合には、遠隔操作装置３００が操作対象装置２００の操作可能範囲に入ったことを検出したときに、遠隔操作装置３００から操作対象装置２００にその旨を通知することで、遠隔操作装置３００が操作対象装置２００を操作可能な状態にあると判断することができる。
【００９５】
そして、ここでは、操作側第２通信部３０２を介して遠隔操作装置３００が操作対象装置２００を操作可能な状態にあるか否かを判断すると共に、操作側第２通信部３０２を介して操作対象装置２００を操作する例について説明するが、操作対象装置２００を操作するための通信手段が別途設けられていてもよい。
【００９６】
例えば、操作側第２通信部３０２にて遠隔操作装置３００が操作対象装置２００を操作可能な状態にあるか否かを判断し、操作側第１通信部３０１にて操作対象装置２００を操作してもよい。なお、この場合には、操作側第１通信部３０１は、従来の一般的なリモコンで用いられている赤外線通信を行うことが好ましい。これにより、一般に広く用いられている赤外線リモコンの構成をそのまま流用することができるので、操作対象装置２００及び遠隔操作装置３００の製造コストを低く抑えることができる。
【００９７】
〔発明の概要〕
続いて、操作対象装置２００及び遠隔操作装置３００の具体的な動作例を示す図３〜５に基づいて、本発明の概要について説明する。図３は、予約の開始時刻または予約開始時刻の一定時間前に、遠隔操作装置３００が操作対象装置２００の操作可能範囲に存在する場合の動作例を示す図である。なお、ここでは、予約が視聴予約である例について説明する。
【００９８】
操作対象装置２００は、予約の開始時刻または予約開始時刻の一定時間前に、遠隔操作装置３００が操作対象装置２００の操作可能範囲に存在するか否かを確認する。そこで、以下では、予約の開始時刻または予約開始時刻の一定時間前を「確認時刻」と呼ぶ。
【００９９】
詳細については後述するが、確認時刻に遠隔操作装置３００が操作対象装置２００の操作可能範囲に存在するか否かの確認が行われ、確認の結果に基づいて予約動作の実行制御が行われる。したがって、確認時刻は、遅くとも予約開始時刻に等しい時刻に設定する必要がある。なお、確認時刻は、遠隔操作装置３００が操作対象装置２００の操作可能範囲に存在するか否かの確認、及び該確認の結果に基づいて実行される予約動作の実行制御が予約開始時刻までに完了するように設定することが好ましい。例えば、確認時刻は、予約開始時刻の１分前〜５分前に設定すればよい。無論、確認時刻はこの例に限られず、必要に応じて適宜設定、変更することができる。
【０１００】
図示のように、確認時刻になると、操作対象装置２００は、遠隔操作装置３００に応答要求を送信する。図示の例では、遠隔操作装置３００が操作対象装置２００の操作可能範囲に存在するので、遠隔操作装置３００から操作対象装置２００に応答が送信される。
【０１０１】
ここで、図示のように、遠隔操作装置３００から操作対象装置２００に応答と共に端末ＩＤが送信される。端末ＩＤは、遠隔操作装置３００を識別するための識別情報である。操作対象装置２００は、応答と端末ＩＤを受信すると、予め予約に対応付けて記憶している端末ＩＤと上記受信した端末ＩＤとを照合し、両者が一致するか否かを確認する。
【０１０２】
そして、図示のように、端末ＩＤが一致した場合には、予約動作を実行する。すなわち、この場合には、予め設定されていた視聴予約が予め設定されていた通りの時刻に実行される。図示の例では、テレビの表示がＯＮになり、視聴予約されていたチャンネルの番組が表示される。
【０１０３】
また、図示のように、操作対象装置２００は、端末ＩＤが一致した場合に、応答受信通知を遠隔操作装置３００に送信する。応答受信通知を受信した遠隔操作装置３００では、リモコンアプリが起動され、これにより遠隔操作装置３００は、操作対象装置２００を遠隔操作できるようになる。
【０１０４】
ここで、リモコンアプリについて説明する。遠隔操作装置３００は、通常は携帯電話機として動作するが、所定のアプリケーションプログラム（リモコンアプリ）を起動することによって操作対象装置２００を操作することができるようになる。このように、リモコンアプリをインストールすることによって、様々な電子機器を遠隔操作装置３００として動作させることが可能になる。
【０１０５】
以上のように、操作対象装置２００は、確認時刻になると遠隔操作装置３００が操作対象装置２００の操作可能範囲に存在するか否かを確認し、存在することが確認された場合に、遠隔操作装置３００を操作対象装置２００のリモコンとして機能させる。したがって、遠隔操作装置３００のユーザは、視聴予約を行った番組の開始時刻に操作対象装置２００の操作可能範囲に居るだけで、視聴予約した番組を視聴できると共に、何ら操作を行うことなく、遠隔操作装置３００にて操作対象装置２００を遠隔操作することができる。
【０１０６】
また、操作対象装置２００は、予約に対応付けられている端末ＩＤと、応答と共に受信した端末ＩＤとが一致する場合に上記予約を実行している。したがって、予約を行うときに、該予約と共に遠隔操作装置３００の端末ＩＤを記憶させておくことにより、確認時刻に上記端末ＩＤを有する遠隔操作装置３００が存在する場合にのみ操作対象装置２００に予約を実行させることができる。
【０１０７】
これにより、遠隔操作装置３００が複数存在し、予約を設定した遠隔操作装置３００以外の遠隔操作装置３００が確認時刻に操作対象装置２００の操作可能範囲に存在する場合に、視聴予約が実行されてしまうことを防ぐことができる。
【０１０８】
続いて、予約の設定を行った遠隔操作装置３００が確認時刻に操作対象装置２００の操作可能範囲に存在せず、上記遠隔操作装置３００以外の遠隔操作装置が操作対象装置２００の操作可能範囲に存在する場合の動作例について図４に基づいて説明する。
【０１０９】
この場合には、予約の設定を行った遠隔操作装置３００が確認時刻に操作対象装置２００の操作可能範囲に存在しないが、他の遠隔操作装置が操作対象装置２００の操作可能範囲に存在するので、操作対象装置２００が送信した応答要求に対して上記他の遠隔操作装置が応答及び端末ＩＤを返す。
【０１１０】
操作対象装置２００は、上記応答及び端末ＩＤを受信すると、予め予約に対応付けて記憶している端末ＩＤ、すなわち遠隔操作装置３００の端末ＩＤと上記受信した端末ＩＤとを照合し、両者が一致するか否かを確認する。
【０１１１】
ここで操作対象装置２００が受信した端末ＩＤは、上記他の遠隔操作装置の端末ＩＤであるから、端末ＩＤは一致しない。この場合に、予約の開始時刻になっても視聴予約は実行されず、視聴予約されていた番組の録画が実行される。
【０１１２】
本実施形態の遠隔操作装置３００は、携帯電話機であることを想定しているので、操作対象装置２００を使用する各ユーザのそれぞれが遠隔操作装置３００を所有しているような場合も想定される。このような場合に、上記特許文献２の技術を適用すると、視聴予約を行っていないユーザが操作対象装置２００の操作可能範囲に居る場合に、視聴予約が実行されてしまい、番組の録画が行われないことになる。
【０１１３】
すなわち、この場合には、視聴予約を行っていないユーザは、不意に操作対象装置２００のテレビ表示がＯＮになり、見ようとも思っていない番組が出力されるので、戸惑うことになり、視聴予約を行ったユーザは視聴予約していた番組を見逃してしまう。
【０１１４】
そこで、操作対象装置２００では、送信した応答要求に対する応答の受信の有無を確認すると共に、応答と共に送られてくる端末ＩＤと、予め予約に対応付けて記憶した端末ＩＤとの照合を行う。そして、端末ＩＤが一致しない場合には、視聴予約された番組の録画を行う。
【０１１５】
これにより、視聴予約を行ったユーザが確認時刻に操作対象装置２００の操作可能範囲内に居る場合にのみ視聴予約が実行され、それ以外の場合には視聴予約された番組の録画が行われる。したがって、視聴予約を行っていないユーザが操作対象装置２００の操作可能範囲に居る場合に視聴予約が実行されること、及び視聴予約を行ったユーザが視聴予約していた番組を見逃してしまうことを防ぐことができる。
【０１１６】
続いて、確認時刻において、遠隔操作装置３００も他の遠隔操作装置も操作対象装置２００の操作可能範囲に存在しない場合の動作例について図５に基づいて説明する。この場合には、図示のように、操作対象装置２００が送信した応答要求に対して応答が返ってこない。そこで、この場合には、視聴予約の開始時刻になると、該視聴予約された番組の録画を行う。これにより、視聴予約を行ったユーザが該視聴予約された番組を見逃すことを防ぐことができる。
【０１１７】
〔予約の設定方法〕
上述のように、操作対象装置２００では、予約に対応付けて記憶された端末ＩＤと応答と共に受信した端末ＩＤとの照合結果に基づいて、予約動作の実行制御を行う。したがって、操作対象装置２００は、予約を受け付ける場合に、該予約と予約を行った遠隔操作装置３００の端末ＩＤとを対応付けて記憶する必要がある。ここでは、操作対象装置２００における予約の設定方法について図６に基づいて説明する。
【０１１８】
図６は、操作対象装置２００における予約の設定方法を示す図である。１つ目の方法として、操作対象装置２００に対して遠隔操作装置３００から直接に視聴予約または録画予約を行い、その際に端末ＩＤも送信する方法が挙げられる。この場合には、図示のように、操作対象装置２００に番組表を表示させ、表示させた番組表から視聴予約または録画予約する番組を選択できるようにすることが好ましい。これにより、ユーザは、視聴予約または録画予約する番組の入力を容易に行うことができる。また、視聴予約または録画予約時に、自動的に端末ＩＤが送信されるようにすることで、ユーザは端末ＩＤを入力するための余分な操作を行う必要がなくなるので好ましい。
【０１１９】
そして、このようにして入力された視聴予約または録画予約及び端末ＩＤは、例えば操作対象装置記憶部２０７等に格納しておけばよい。なお、ここでは、視聴予約または録画予約と端末ＩＤとが対応付けられたデータを予約情報と呼ぶ。予約情報の詳細については後述する。
【０１２０】
なお、上記の予約操作は、遠隔操作装置３００が備えるリモコンアプリにて実行できるようにすればよい。これについて、図７（ａ）〜（ｄ）に基づいて説明する。図７（ａ）〜（ｄ）は、リモコンアプリ起動時に遠隔操作装置３００に表示される表示画面例を示す図である。
【０１２１】
遠隔操作装置３００では、操作部３０８に所定の入力操作が行われた場合に、リモコンアプリが起動されるようになっている。ここでは、リモコンアプリが起動されると、同図（ａ）に示すように、テレビ操作用の画面が表示部３０７に表示されることを想定している。
【０１２２】
図示の画面例は、いわゆるソフトウェアキーボード表示（ソフトキー表示）と呼ばれるものである。ソフトキー表示は、各操作キーの配置と、各操作キーに割り当てられた機能とを画面表示するものであり、ソフトキー表示中に操作キーに入力操作が行われたときには、画面表示されている機能が実行される。ソフトキー表示によれば、同一の操作キーに様々な機能を割り当てることができるので、限られた操作キーにて多様な機能を実行させることが可能になる。
【０１２３】
すなわち、操作部３０８には、図７（ａ）と同じ配置で操作キーが配列しており、操作部３０８において、表示部３０７に表示されているキーに対応する操作キーの入力を行うことによって、表示されている機能に対応する処理が実行される。例えば、図７（ａ）において、「音量＋」と表示されているキーに対応する、操作部３０８の操作キーに入力を行うことによって、テレビの音量が上がるようになっている。
【０１２４】
これにより、遠隔操作装置３００のユーザは、同一の操作キーにて遠隔操作装置３００に携帯電話機としての機能を実行させることができると共に、操作対象装置２００のリモコンとしての機能も実行させることができる。
【０１２５】
なお、遠隔操作装置３００は、リモコンとしての入力操作が行えるようになっていればよく、上記の例に限られない。例えば、遠隔操作装置３００の表示部３０７及び操作部３０８をタッチパネルで構成して、表示部３０７に遠隔操作用の画面を表示し、表示された画面に応じた入力操作を受け付けるようにしてもよい。
【０１２６】
図７（ａ）の画面が表示部３０７に表示されている状態にて、操作部３０８の図示の「メニュー」に対応する操作キーに入力を行った場合には、例えば同図（ｂ）に示すようなメニュー画面が表示される。同図（ｂ）の例では、メニュー画面に「テレビを見る」、「番組を予約する」、及び「録画番組を見る」の３つの項目が表示されており、これらの項目は、操作部３０８への入力操作によって選択できるようになっている。また、同図（ｂ）では、同図（ａ）において「メニュー」と表示されていた位置には、「閉じる」と表示されている。「閉じる」に対応する操作キーに入力操作を行った場合には、メニュー画面が閉じられて同図（ａ）の表示状態に戻る。
【０１２７】
図７（ｂ）の画面が表示部３０７に表示されている状態にて、「番組を予約する」との項目を選択する入力操作を行った場合には、例えば同図（ｃ）に示すような画面が表示される。図示の例のように、「番組を予約する」との項目を選択した場合には、番組表操作用の画面が表示される。
【０１２８】
同図（ｃ）の画面が表示されている状態にて、「５．番組表」と表示されているキーに対応する操作部３０８の操作キーに入力を行うことにより、操作対象装置２００の表示部２０４に番組表を表示させることができる。そして、表示部３０７に表示されている上下左右の方向キー、及び決定キーに対応する操作部３０８の操作キーに入力操作を行うことにより、操作対象装置２００に表示させた番組表から視聴予約または録画予約を行う番組を選択することができるようになっている。なお、表示部３０７に表示されている「１．終了」は、操作対象装置２００に表示させた番組表を閉じるための操作キーの配置を示し、「３．戻る」は１つ前の表示画面（この場合には図７（ｂ））に戻るための操作キーの配置を示している。
【０１２９】
同図（ｃ）の画面が表示されている状態にて、「メニュー」と表示されているキーに対応する操作部３０８の操作キーに入力を行った場合には、例えば同図（ｄ）に示すような画面が表示される。図示のように、同図（ｂ）と同様のメニュー画面が表示されている。このメニュー画面から、「テレビを見る」を選択することにより、画面は同図（ａ）の状態に戻り、チャンネル変更や音量変更のような操作対象装置２００のテレビ機能の制御を行うことができるようになる。
【０１３０】
また、遠隔操作装置３００では、図６に示すように、通信ネットワークを介して操作対象装置２００の動作予約を行うこともできる。これにより、操作対象装置２００の操作可能範囲外からでも遠隔操作装置３００から操作対象装置２００の動作予約を行うことができる。遠隔操作装置３００は、電話・Ｗｅｂ通信部３０３を備えているので、電話・Ｗｅｂ通信部３０３を介して操作対象装置２００に予約情報を送信することができる。
【０１３１】
なお、通信ネットワークは、遠隔操作装置３００が送信する予約情報を操作対象装置２００に伝達できるものであればよく、例えばインターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等の公知のものも上記通信ネットワークとして適用することができる。なお、通信ネットワークには、ルータやアクセスポイント、ネットワークサーバ等のデータ中継装置が含まれていてもよい。
【０１３２】
なお、予約の設定方法は、予約と該予約の設定元を示す端末ＩＤとが操作対象装置２００に入力されるようになっていればよく、上記の例に限られない。例えば、操作対象装置２００を操作するための専用リモコンや、操作対象装置２００の本体表面に設けられている操作キーである操作部２０５（図２参照）を使って予約を行うときに、予約を行うユーザの使用する遠隔操作装置３００の端末ＩＤの入力を要求するようにしてもよい。また、例えば操作対象装置２００に、端末ＩＤの候補を予め登録しておき、予約時に上記登録された端末ＩＤの中から予約と対応付けて記憶する端末ＩＤをユーザに選択させるようにしてもよい。
【０１３３】
さらに、操作対象装置２００は、Ｗｅｂ通信部２１０を備えているので、予約情報をインターネットのサービスを提供しているサーバーから操作対象装置２００に配信することもできる。この場合には、予めユーザがサービスに対して、使用する操作対象装置２００と遠隔操作装置３００とを登録することにより、遠隔操作装置３００の端末ＩＤを含む予約情報を操作対象装置２００に配信することができる。
【０１３４】
これにより、例えばサービスが推薦するテレビ番組を、自動的に操作対象装置２００に予約させ、予約されたテレビ番組を遠隔操作装置３００のユーザに確実に視聴させるサービスが実現できる。
【０１３５】
なお、この場合には、ユーザの意図しない番組の出力または録画が自動的に行われる可能性がある。そこで、サービスは、推薦する番組のリストを遠隔操作装置３００に配信し、該配信されたリストから遠隔操作装置３００のユーザが選択した番組の予約情報と当該遠隔操作装置３００の端末ＩＤとを操作対象装置２００に送信することが好ましい。これにより、遠隔操作装置３００のユーザは、サービスが推薦する番組の中から選択した所望の番組を確実に視聴することができる。
【０１３６】
〔操作対象装置２００のより詳細な構成〕
続いて、図１に基づいて操作対象装置２００及び遠隔操作装置３００のより詳細な構成について説明する。図１は、操作対象装置２００及び遠隔操作装置３００の要部構成を示すブロック図である。ここでは、まず、操作対象装置２００の構成について説明し、次に遠隔操作装置３００の構成について説明する。
【０１３７】
図示のように、操作対象装置２００の操作対象装置制御部２０３には、予約実行部（予約実行手段、記録制御手段）１、予約元照合部（予約元照合手段、予約実行制御手段、操作信号受信可否判断手段、遠隔操作開始手段）２、及び予約元有無確認部３が含まれており、操作対象装置記憶部（予約情報記憶部）２０７には予約情報４が格納されている。
【０１３８】
予約実行部１は、予め設定された予約時刻に予め設定した動作を操作対象装置２００に実行させる。具体的には、予約実行部１は、予約情報４を参照し、予約の開始時刻になったときに予め設定された動作を実行する。ここでは、予約が視聴予約または録画予約であることを想定しているので、予約実行部１は、視聴予約の開始時刻になると、予約されたチャンネルの番組をチューナ２０１に受信させる。これにより、予約されたチャンネルの番組が音声出力部２０２及び表示部２０４から出力される。また、予約実行部１は、予約が録画予約である場合には、予約の開始時刻に録画装置４００に指示して録画を実行させる。
【０１３９】
予約元照合部２は、予約を実行するときに該予約を行った遠隔操作装置３００が操作対象装置２００の操作可能範囲にあるか否かを確認し、該確認結果に基づいて予約実行部１が実行する予約動作を制御する。
【０１４０】
予約元有無確認部３は、予約元照合部２の指示に従って遠隔操作装置３００が操作対象装置２００の操作可能範囲にあるか否かを確認する。具体的には、予約元有無確認部３は、被操作側第２通信部２０９を介して応答要求を送信し、該応答要求に対して応答が返ってくるか否かに基づいて遠隔操作装置３００が操作対象装置２００の操作可能範囲にあるか否かを確認する。予約元有無確認部３の確認結果は、予約元照合部２に送られて、予約元照合部２が、予約元の遠隔操作装置３００が操作対象装置２００の操作可能範囲にあるか否かを判断するために用いられる。
【０１４１】
予約情報４は、操作対象装置２００に設定された録画予約及び視聴予約を示すデータであり、各予約には該予約を行った遠隔操作装置３００の端末ＩＤが対応付けられている。すなわち、予約情報４は、予約時刻と該予約を設定した遠隔操作装置３００とを対応付けたデータである。予約情報４は、例えば図８に示すようなデータとすることができる。図８は、予約情報４の一例を示す図である。
【０１４２】
図示のように、予約情報４には、予約動作の開始日時、終了日時、予約チャンネル、予約された番組のタイトル、及び内容が含まれている。また、予約情報４には、各予約の種別（録画予約か視聴予約か）、予約を行ったユーザ、及び該ユーザの使用している遠隔操作装置３００の端末ＩＤが含まれている。なお、タイトル、内容、及びユーザは、予約情報４に必ずしも含まれていなくてもよい。
【０１４３】
また、図示の例では、ユーザと端末ＩＤとが１対１に対応している例を示しているが、ユーザと端末ＩＤとは、１対１に対応していなくてもよい。例えば、１人のユーザが携帯電話機及びＰＤＡを所有しており、上記携帯電話機及びＰＤＡの両方が遠隔操作装置３００としての機能を有している場合には、複数の端末ＩＤを１人のユーザに対応付けるようにしてもよい。この場合には、携帯電話機及びＰＤＡの少なくとも一方が操作対象装置２００の操作範囲内にあるときに視聴予約が実行される。
【０１４４】
〔遠隔操作装置３００のより詳細な構成〕
次に、遠隔操作装置３００のより詳細な構成について、図１に基づいて説明する。図示のように、遠隔操作装置３００の遠隔操作装置制御部３０６には、応答送信部１１、応答要求対応処理実行部（実行可否選択手段）１２、及びリモコンアプリ１３が含まれており、遠隔操作装置記憶部３１０には、端末ＩＤ１４が格納されている。なお、リモコンアプリ１３は遠隔操作装置記憶部３１０に格納されていてもよい。
【０１４５】
応答送信部１１は、応答要求を受信した場合に、該応答要求に対する応答と端末ＩＤ１４とを操作側第２通信部３０２を介して操作対象装置２００に送信する。また、応答送信部１１は、応答要求を受信したときに、応答要求を受信した旨を応答要求対応処理実行部１２に伝達する。
【０１４６】
応答要求対応処理実行部１２は、応答送信部１１から応答要求を受信した旨の伝達を受けた場合に、予め定められた処理を実行する。具体的には、応答要求対応処理実行部１２は、応答要求を受信した旨の伝達を受けたときに、応答要求を受信したことをユーザに報知する。
【０１４７】
応答要求の受信をユーザに報知する方法は、特に限定されないが、例えば音や光及び振動等で報知するようにすればよい。遠隔操作装置３００は、携帯電話機の機能を有しているので、図２には示していないが、例えば電話やメール等の着信時に用いる着信音発生機能やバイブレーション機能等を備えている。したがって、例えばこれらの機能を流用して、応答要求の受信をユーザに報知することもできる。
【０１４８】
また、応答要求対応処理実行部１２は、上記受信した応答要求が、操作対象装置２００が録画予約を実行する際に送信した応答要求（以下、応答要求（録画）と呼ぶ）であるか、あるいは視聴予約を実行する際に送信した応答要求（以下、応答要求（視聴）と呼ぶ）であるかを判断する。なお、応答要求（録画）と応答要求（視聴）とは、応答要求対応処理実行部１２が両者を識別可能な信号である。
【０１４９】
そして、応答要求対応処理実行部１２は、受信した応答要求が応答要求（録画）であるか応答要求（視聴）であるかの判断結果に基づいて予め定められた処理を行う。なお、この処理の詳細については後述する。
【０１５０】
リモコンアプリ１３は、上述のように遠隔操作装置３００をリモコンとして機能させるためのものである。すなわち、リモコンアプリ１３の起動時は、遠隔操作装置３００にて操作対象装置２００を操作することができ、リモコンアプリ１３が起動していない間は、遠隔操作装置３００は通常の携帯電話機として機能する。リモコンアプリ１３は、操作部３０８への所定の入力操作で起動すると共に、応答要求対応処理実行部１２から指示が有った場合にも起動する。
【０１５１】
端末ＩＤ１４は、遠隔操作装置３００を識別するための識別情報である。端末ＩＤ１４は、操作対象装置２００が遠隔操作装置３００を識別できるものであればよい。例えば、遠隔操作装置３００に割り当てられた識別番号の他、遠隔操作装置３００の電話番号やＳＩＭ（Subscriber Identity Module）カードＩＤ等を端末ＩＤ１４として用いてもよい。また、リモコンアプリ１３にＩＤが割り当てられている場合には、リモコンアプリ１３のＩＤを端末ＩＤ１４として用いることもできる。
【０１５２】
〔遠隔操作システム１００における処理の流れ（操作対象装置２００側）〕
以上の構成を備える操作対象装置２００と遠隔操作装置３００とを含む遠隔操作システム１００における処理の流れについて、図９及び図１０に基づいて説明する。図９は、遠隔操作システム１００において、操作対象装置２００が実行する処理の一例を示すフローチャートである。
【０１５３】
予約元照合部２は、予約情報４を定期的に確認し、予約開始時刻のｔ分前になる予約があるか否かを確認する（Ｓ１）。なお、予約開始時刻のｔ分前が、上記確認時刻に相当する。ｔは例えば１〜５程度に設定すればよい。
【０１５４】
予約開始時刻のｔ分前になる予約がある場合（Ｓ１でＹＥＳ）には、予約元照合部２は、当該予約が録画予約であるか否かを確認する（Ｓ２）。録画予約である場合（Ｓ２でＹＥＳ）には、予約元照合部２は、予約元有無確認部３に指示して、応答要求（録画）を送信させる。一方、録画予約ではない場合（Ｓ２でＮＯ）には、当該予約は視聴予約ということになるので、予約元照合部２は、予約元有無確認部３に指示して、応答要求（視聴）を送信させる（Ｓ４）。
【０１５５】
応答要求（録画）または応答要求（視聴）を送信した予約元有無確認部３は、応答の受信を待ち受ける。ここでは、遠隔操作装置３００が、応答要求（録画）または応答要求（視聴）を受信した場合に、応答と共に端末ＩＤを送信することを想定しているので、予約元有無確認部３は、応答及び端末ＩＤの受信を待ち受ける（Ｓ５）。
【０１５６】
応答及び端末ＩＤの受信を確認した場合（Ｓ５でＹＥＳ）には、予約元有無確認部３は、その旨を予約元照合部２に伝達し、伝達を受けた予約元照合部２は、受信した端末ＩＤと、予約情報４において当該予約と対応付けて記憶されている端末ＩＤとが一致するか否かを確認する（Ｓ６）。
【０１５７】
応答及び端末ＩＤの受信が確認されない場合（Ｓ５でＮＯ）、及び受信した端末ＩＤと予約と対応付けて記憶されている端末ＩＤとが一致しない場合（Ｓ６でＮＯ）には、予約元照合部２は、予約の開始時刻になったか否かを確認する（Ｓ７）。
【０１５８】
開始時刻になっていない場合（Ｓ７でＮＯ）には、処理はＳ５に戻り、予約元照合部２は、引き続き応答及び端末ＩＤを受信した旨の伝達を待ち受ける。一方、開始時刻になっている場合（Ｓ７でＹＥＳ）に、当該予約が視聴予約であれば、予約元照合部２は、予約実行部１に指示して予約されている番組の録画を実行させる（Ｓ８）。すなわち、この場合には、予約元照合部２は、予約実行部１が実行する動作を視聴予約から録画へと変更する。
【０１５９】
一方、応答及び端末ＩＤを受信した旨の伝達を受け、受信した端末ＩＤと当該予約に対応付けられた端末ＩＤとが一致した場合（Ｓ６でＹＥＳ）には、予約元照合部２は、当該予約が録画予約であるか否かを確認する（Ｓ９）。録画予約である場合（Ｓ９でＹＥＳ）には、予約の開始時刻に予約実行部１が録画装置４００に指示を送り（Ｓ１０）、予約通りに録画が実行される。
【０１６０】
ここで、予約が視聴予約である場合（Ｓ９でＮＯ）には、予約実行部１が予約通りに操作対象装置２００の電源制御及びチャンネル変更を行う（Ｓ１１）。なお、操作対象装置２００の電源制御及びチャンネル変更とは、操作対象装置２００を、テレビ番組を表示可能な動作状態に移行させると共に、その出力チャンネルを予約された番組のチャンネルに設定する処理を指す。すなわち、Ｓ１１では、視聴予約に対応する処理が実行される。
【０１６１】
また、予約元照合部２は、予約が録画予約である場合（Ｓ９でＹＥＳ）にも、予約実行部１に指示して、操作対象装置２００の電源制御及びチャンネル変更を実行させる（Ｓ１１）。すなわち、操作対象装置２００では、録画予約が設定されている場合に、該録画予約の開始時刻に該録画予約を行ったユーザが操作対象装置２００の操作可能範囲に居るときには、録画が実行されると共に、録画予約された番組が操作対象装置２００から出力される。これにより、ユーザは、録画予約した番組の放送時刻に操作対象装置２００の付近に居る場合には、何ら操作を行うことなくその番組を視聴及び録画することができる。
【０１６２】
なお、詳細については後述するが、遠隔操作システム１００では、録画と視聴とを同時に行うか否かは、遠隔操作装置３００がユーザに選択させる。そして、録画と視聴とを同時に行う旨の選択があった場合に、操作対象装置２００にて録画と録画中の番組の出力とが同時に実行されるようになっている。したがって、ユーザが録画と視聴とを同時に行うことを希望していない場合には、録画と録画中の番組の出力とが同時に実行されない。
【０１６３】
そして、予約元照合部２は、予約元有無確認部３に指示して操作対象装置２００が応答を受信したことを示す応答受信通知を送信させる（Ｓ１２）。なお、応答受信通知は、Ｓ６にて予約の端末ＩＤと一致することが確認された後であればどのようなタイミングで送信してもよく、図示の例に限られない。
【０１６４】
遠隔操作装置３００では、上記応答受信通知を受信したときに、リモコンアプリが起動するようになっている。すなわち、操作対象装置２００は、上記応答受信通知を送信することによって、遠隔操作装置３００を、操作対象装置２００の遠隔操作が不能な状態から可能な状態へと遷移させている。
【０１６５】
〔遠隔操作システム１００における処理の流れ（遠隔操作装置３００側）〕
次に、図１０に基づいて遠隔操作装置３００が実行する処理の流れについて説明する。図１０は、遠隔操作装置３００が実行する処理の一例を示すフローチャートである。まず応答送信部１１は、応答要求の受信を待ち受ける（Ｓ２１）。応答要求の受信を確認した場合（Ｓ２１でＹＥＳ）には、応答送信部１１は、応答要求を受信した旨を応答要求対応処理実行部１２に伝達する。
【０１６６】
伝達を受けた応答要求対応処理実行部１２は、振動や音等で応答要求の受信をユーザに報知する（Ｓ２２）。続いて、応答要求対応処理実行部１２は、上記受信した応答要求が応答要求（録画）であるか否かを確認する（Ｓ２３）。応答要求（録画）である場合（Ｓ２３でＹＥＳ）には、応答要求対応処理実行部１２は、録画予約された番組を視聴するか否かをユーザに選択させる選択画面を表示させる（Ｓ２４）。
【０１６７】
選択画面は、録画予約された番組を視聴するか否かの選択をユーザに促すものであればよく、特に限定されないが、例えば図１１に示すような画面を表示部３０７に表示すればよい。図１１は、録画予約された番組を視聴するか否かの選択をユーザに促す表示画面の一例を示す図である。
【０１６８】
上記選択画面が表示されている状態において、応答要求対応処理実行部１２は、録画予約された番組を視聴する旨の入力操作が行われたか否かを確認する（Ｓ２５）。そして、応答要求対応処理実行部１２は、録画予約された番組を視聴する旨の入力操作が行われたことが確認できなかった場合には（Ｓ２５でＮＯ）、録画予約された番組を視聴しない旨の入力操作が行われたか否かを確認する（Ｓ２６）。
【０１６９】
Ｓ２５及びＳ２６の処理は、録画予約された番組を視聴する入力操作、または視聴しない旨の入力操作が確認されるまで繰り返され、録画予約された番組を視聴する入力操作が確認された場合（Ｓ２５でＹＥＳ）には、処理はＳ２７に進む。一方、視聴しない旨の入力操作が確認された場合（Ｓ２６でＹＥＳ）には、処理はＳ２１に戻る。
【０１７０】
このように、応答要求対応処理実行部１２は、録画予約された番組を視聴するか否かをユーザに選択させ、視聴しないことが選択された場合には、応答を送信しない。したがって、この場合には、図９のＳ５、Ｓ７及びＳ８の処理によって、録画予約された番組録画のみが行われ、録画予約された番組の出力が行われることはない。これにより、ユーザが録画と視聴とを同時に行うことを希望していない場合には、録画と録画中の番組の出力とが同時に実行されない。
【０１７１】
録画予約された番組を視聴する入力操作が確認された場合（Ｓ２５でＹＥＳ）またはＳ２３にて応答要求が応答要求（視聴）であると確認された場合（Ｓ２３でＮＯ）には、応答要求対応処理実行部１２は、応答送信部１１に指示して応答及び自機の端末ＩＤを送信させる（Ｓ２７）。指示を受けた応答送信部１１は、遠隔操作装置記憶部３１０から読み出した端末ＩＤ１４と応答とを操作側第２通信部３０２を介して操作対象装置２００に送信する。
【０１７２】
応答要求対応処理実行部１２は、応答送信部１１に応答及び自機の端末ＩＤの送信指示を出した後、応答受信通知の受信を待ち受ける（Ｓ２８）。上記送信指示後、一定時間経過するまでに応答受信通知の受信が確認できない場合（Ｓ２９でＹＥＳ）には、処理はＳ２１に戻り、応答要求対応処理実行部１２は、応答要求の受信を待ち受ける。
【０１７３】
一方、上記送信指示後、一定時間経過するまでに応答受信通知の受信が確認できた場合（Ｓ２８でＹＥＳ）には、応答要求対応処理実行部１２は、リモコンアプリ１３を起動させる（Ｓ３０）。これにより、ユーザは、遠隔操作装置３００を用いて操作対象装置２００の操作を行うことができるようになる。
【０１７４】
〔実施の形態２〕
本実施形態の操作対象装置２００’及び遠隔操作装置３００’について図１２〜図２７に基づいて説明する。なお、上記実施形態と同一の構成及び処理については、同一の参照番号を付し、その説明を省略する。
【０１７５】
ここでは、まず操作対象装置２００’及び遠隔操作装置３００’と、上記実施形態の操作対象装置２００及び遠隔操作装置３００との相違点、及び操作対象装置２００’及び遠隔操作装置３００’の特徴点について図１２〜図１７に示す具体例に基づいて説明する。なお、ここでは、予約が視聴予約である例について説明する。
【０１７６】
〔上記実施形態との相違点〕
図１２は、予約の開始時刻または予約開始時刻の一定時間前、すなわち確認時刻に、遠隔操作装置３００’が操作対象装置２００’の操作可能範囲に存在する場合の動作例を示す図である。図示のように、操作対象装置２００’は、確認時刻になると、応答要求と共に、当該予約に対応付けて記憶された端末ＩＤを送信する。そして、遠隔操作装置３００’は、応答要求及び端末ＩＤを受信すると、受信した端末ＩＤと自機の端末ＩＤとが一致するか否か判断する。なお、確認時刻には、応答要求と端末ＩＤとが操作対象装置２００’から遠隔操作装置３００’へと送信されるようになっていればよく、応答要求と端末ＩＤとは同時に送信しても順に送信しても、いずれでもよい。
【０１７７】
そして、受信した端末ＩＤと自機の端末ＩＤとが一致した場合に、遠隔操作装置３００’は、上記受信した応答要求に対して応答を返す。操作対象装置２００’は、応答を受信した場合に、予約の開始時刻になったときには、予定通り視聴予約を実行する。すなわち、図示のように、予約の開始時刻には操作対象装置２００のテレビ表示がＯＮになり、チャンネルが予約されたチャンネルに切り換わる。
【０１７８】
また、受信した端末ＩＤと自機の端末ＩＤとが一致した場合に、遠隔操作装置３００’ではリモコンアプリが起動され、これにより遠隔操作装置３００’にて操作対象装置２００’を操作することができるようになる。
【０１７９】
次に、確認時刻に、遠隔操作装置３００’が操作対象装置２００の操作可能範囲に存在しない場合の動作例について図１３に基づいて説明する。この場合には、図示のように、操作対象装置２００が送信した応答要求に対して応答が返ってこない。また、遠隔操作装置３００’が操作対象装置２００の操作可能範囲に存在している場合であっても、端末ＩＤが不一致である時には、遠隔操作装置３００’は応答を返さない。
【０１８０】
そして、遠隔操作装置３００’から応答が返ってこない状態で、予約開始時刻になったときには、図示のように、操作対象装置２００’は、視聴予約された番組の録画を行う。
【０１８１】
すなわち、上記実施形態では、遠隔操作装置３００が送信した端末ＩＤの照合を操作対象装置２００で行っていたのに対し、本実施形態では操作対象装置２００’が送信した端末ＩＤの照合を遠隔操作装置３００’で行う。操作対象装置２００’が送信した端末ＩＤの照合を遠隔操作装置３００’で行う場合であっても、視聴予約を行っていないユーザが操作対象装置２００の操作可能範囲に居る場合に視聴予約が実行されること、及び視聴予約を行ったユーザが視聴予約していた番組を見逃してしまうことを防ぐことができる。
【０１８２】
また、遠隔操作装置３００’のユーザが操作対象装置２００’の操作可能範囲に居ない場合は、視聴予約の開始時刻になると、該視聴予約された番組の録画が行われる。従って、視聴予約を行ったユーザが視聴予約した番組を見逃すことを防ぐことができる。
【０１８３】
〔追加の構成（１）（予約開始時の操作対象装置２００’の状態に応じて制御）〕
本実施形態の操作対象装置２００’及び遠隔操作装置３００’は、上記の構成に加えて、予約開始時の操作対象装置２００’の状態に応じた制御を行うという特徴点を備えている。これについて、図１４に基づいて説明する。図１４は、確認時刻に操作対象装置２００’にてテレビ番組の視聴が行われている場合に、遠隔操作装置３００’が操作対象装置２００’の操作可能範囲に存在するときの動作例を示す図である。
【０１８４】
図示のように、操作対象装置２００’にてテレビ番組の視聴が行われている場合であっても、確認時刻になると操作対象装置２００’は、応答要求及び端末ＩＤを送信する。ここで、図示のように、操作対象装置２００’は、応答要求及び端末ＩＤに加えてステータス情報を送信する。
【０１８５】
ステータス情報は、操作対象装置２００’の動作状態を示すものである。図示の例では操作対象装置２００’がテレビ番組の出力中であることを示すステータス情報が送信される。遠隔操作装置３００’は、このステータス情報を受信することにより、操作対象装置２００’がテレビ番組の出力中であることを認識することができるので、操作対象装置２００’の動作状態に応じて柔軟な対応を採ることができる。
【０１８６】
例えば、図示の例では、操作対象装置２００’がテレビ番組の出力中であることから、ユーザまたはユーザ以外の人物が操作対象装置２００’にてテレビ番組を視聴している状態であると考えられる。
【０１８７】
そこで、遠隔操作装置３００’は、視聴予約の実行時刻になったときに、視聴予約の実行可否を遠隔操作装置３００’のユーザに選択させる。ここで、図示の例のように、視聴予約を実行することが選択された場合には、応答と共に視聴予約の実行指示が操作対象装置２００’に送られ、これにより視聴予約の実行時刻に予約されたチャンネルに自動的に切り換わる。また、視聴予約を実行しないことが選択された場合には、例えば応答を送信しないようにすることで、視聴予約が実行されず、操作対象装置２００’を使用しているユーザのテレビ視聴が妨げられない。
【０１８８】
〔追加の構成（２）（タイムシフト再生）〕
操作対象装置２００’では、視聴予約が設定されている状態にて、予約開始時に操作対象装置２００’の操作可能範囲に遠隔操作装置３００’が存在しない場合や、録画予約が行われている場合には、番組の録画を行う。したがって、遠隔操作装置３００’のユーザが、予約した番組を見ようと操作対象装置２００’の操作可能範囲に入ったときに、すでに予約番組の開始時刻を過ぎている場合には、予約した番組は録画されているが、操作対象装置２００’から出力はされていない状態となる。
【０１８９】
このような場合には、ユーザは、予約した番組を見ようと考えて操作対象装置２００’に近寄ったのであるから、即座に予約した番組が操作対象装置２００’から出力されることが好ましい。ただし、予約開始時刻に遅れているので、単に予約した番組を操作対象装置２００’に出力させたのであっては、ユーザは番組の途中から視聴することになってしまう。
【０１９０】
そこで、操作対象装置２００’では、遠隔操作装置３００’が、予約した番組の開始時刻に遅れて操作可能範囲に入った場合には、上記予約した番組を最初から視聴できるようにしている。これについて、図１５に基づいて説明する。図１５は、録画中に遠隔操作装置３００’が操作対象装置２００’の操作可能範囲に入ってきたときの動作例を示す図である。
【０１９１】
図示のように、操作対象装置２００’は、録画の実行中にも定期的に応答要求及び端末ＩＤの送信を行う。そして、応答要求及び端末ＩＤを受信した遠隔操作装置３００’では、端末ＩＤの照合が行われ、受信した端末ＩＤと自機の端末ＩＤとが一致した場合には、タイムシフト再生を行うか否かをユーザに選択させる。
【０１９２】
ここで、タイムシフト再生を行う旨の選択があった場合には、図示のように、応答及び再生指示が遠隔操作装置３００’から操作対象装置２００’に送信される。これにより、操作対象装置２００’では、現在録画中の番組を最初から再生するタイムシフト再生を行う。これにより、ユーザは、予約時刻に遅れて操作対象装置２００’の操作可能範囲に入った場合であっても、予約した番組を最初から視聴することができる。
【０１９３】
また、図示のように、タイムシフト再生を行う旨の選択があった場合には、遠隔操作装置３００’では、リモコンアプリが起動される。ここでは、録画した番組の再生が行われるので、リモコンアプリは、録画再生操作用の入力操作を受け付け、録画再生操作用の操作信号を生成させる。これにより、ユーザが何ら特別な操作を行うことなく、録画再生操作を行うことができるようになる。
【０１９４】
〔追加の構成（３）（予約終了時の制御）〕
上記の構成に加えて、操作対象装置２００’は、予約の終了時刻にも応答要求の送信を行い、返答が返ってくるか否かに応じて動作制御されるようになっている。これについて、図１６及び図１７に基づいて説明する。
【０１９５】
図１６は、予約の終了時刻に遠隔操作装置３００’が操作対象装置２００’の操作可能範囲に存在する場合の動作例を示す図である。図示のように、予約の終了時刻になると、操作対象装置２００’は、応答要求を送信する。そして、遠隔操作装置３００’は、応答要求を受信すると応答を返す。
【０１９６】
この場合には、図示のように、操作対象装置２００’は、テレビの表示を継続する。なお、ここでは端末ＩＤの照合は行わないことが好ましい。予約を行った遠隔操作装置３００’以外の遠隔操作装置３００’のユーザがテレビを視聴している可能性があるからである。
【０１９７】
一方、図１７は、予約の終了時刻に遠隔操作装置３００’が操作対象装置２００’の操作可能範囲に存在しない場合の動作例を示す図である。図示のように、予約の終了時刻になると、操作対象装置２００’は、応答要求を送信するが、遠隔操作装置３００’は操作対象装置２００’の操作可能範囲に存在しない。したがって、この場合には、応答は返されない。
【０１９８】
この場合には、図示のように、操作対象装置２００’は、テレビの表示をオフにする。すなわち、予約を行った遠隔操作装置３００’も、予約を行っていない遠隔操作装置３００’も操作対象装置２００’の操作可能範囲に存在しない場合には、自動的にテレビの表示がオフとなる。したがって、ユーザが操作対象装置２００’の近くに居ない場合に、無駄に表示オン状態が維持されることを防ぐことができる。
【０１９９】
〔操作対象装置２００’のより詳細な構成〕
続いて、図１８に基づいて操作対象装置２００’及び遠隔操作装置３００’のより詳細な構成について説明する。図１８は、操作対象装置２００’及び遠隔操作装置３００’の要部構成を示すブロック図である。ここでは、まず、操作対象装置２００’の構成について説明し、次に遠隔操作装置３００’の構成について説明する。
【０２００】
図示のように、操作対象装置２００’の操作対象装置制御部２０３’は、図１の予約元照合部２の代わりに予約実行制御部（予約元照合手段、予約実行制御手段、操作信号受信可否判断手段、遠隔操作開始手段）２１を備えており、さらにステータス判断部２２、録画中制御実行部（記録中制御実行手段）２３、及び予約終了時制御実行部（予約終了時制御実行手段）２４を備えている。
【０２０１】
予約実行制御部２１は、予約開始時刻の所定時間前に、操作対象装置２００’が、当該予約に対応付けられている遠隔操作装置３００’の操作可能範囲にあるか否かを判断すると共に、該判断結果に基づいて、予約実行部１による上記予約の実行を制御する。具体的には、予約実行制御部２１は、予約元有無確認部３に指示して、被操作側第２通信部２０９から応答要求を送信させる。そして、該応答要求に対して応答が返ってくるか否かに基づいて遠隔操作装置３００’が操作対象装置２００の’操作可能範囲にあるか否かを確認する。
【０２０２】
ステータス判断部２２は、操作対象装置２００’の動作状態に基づいてステータス情報を生成する。ここでは、ステータス情報は、操作対象装置２００’の動作状態がテレビ出力中であるか否かを示すデータであることを想定している。なお、ステータス情報は、操作対象装置２００’の出力チャンネルや出力音量等の様々な動作状態を含んでいてもよい。ステータス情報を操作対象装置２００’の詳細な動作状態を示すものとすることにより、遠隔操作装置３００’は、操作対象装置２００’の詳細な動作状態に応じたより細やかな制御を行うことができる。
【０２０３】
録画中制御実行部２３は、視聴予約または録画予約によって録画が実行されている間に、当該視聴予約または録画予約に対応付けられている遠隔操作装置３００’が操作対象装置２００’の操作可能範囲に入った場合に、上記録画されている番組を、録画されたデータの先頭から再生させる。
【０２０４】
予約終了時制御実行部２４は、予約の終了時刻に、操作対象装置２００’を操作可能な装置が検出されない場合に、操作対象装置２００’のテレビ番組出力を停止させる。
【０２０５】
〔遠隔操作装置３００’のより詳細な構成〕
次に、図１８に基づいて遠隔操作装置３００’のより詳細な構成について説明する。図示のように、遠隔操作装置３００’は、ＩＤ照合部３１、応答要求対応処理実行部（遠隔操作可否判断手段、実行可否選択手段、チャンネル情報取得手段）３２、リモコンアプリ３３、及びワンセグチューナ３４を備えている。
【０２０６】
ＩＤ照合部３１は、応答要求及び端末ＩＤを受信した場合に、受信した端末ＩＤと遠隔操作装置記憶部３１０に格納されている自機の端末ＩＤ１４とが一致するか否かを判断する。そして、両者が一致した場合に、上記応答要求に対する応答を、操作側第２通信部３０２を介して操作対象装置２００’に送信する。また、応答送信部１１は、受信した端末ＩＤと端末ＩＤ１４とが一致したときに、その旨を応答要求対応処理実行部３２に伝達する。さらに、ここでは操作対象装置２００’から、該操作対象装置２００’の動作状態を示すステータス情報が送られてくるので、ＩＤ照合部３１は、ステータス情報の受信を確認したときには、その旨を応答要求対応処理実行部３２に伝達する。
【０２０７】
応答要求対応処理実行部３２は、ＩＤ照合部３１から、自機の端末ＩＤ１４と同じ端末ＩＤが付された応答要求を受信した旨の伝達を受けた場合に、予め定められた処理を実行する。具体的には、応答要求対応処理実行部１２は、上記の場合に、応答要求を受信したことをユーザに報知する。
【０２０８】
応答要求の受信をユーザに報知する方法は、特に限定されないが、例えば音や光及び振動等で報知するようにすればよい。遠隔操作装置３００’は、携帯電話機の機能を有しているので、図２には示していないが、例えば電話やメール等の着信時に用いる着信音発生機能やバイブレーション機能等を備えている。したがって、例えばこれらの機能を流用して、応答要求の受信をユーザに報知することもできる。
【０２０９】
また、応答要求対応処理実行部１２は、上記受信した応答要求が、応答要求（録画）であるか、あるいは応答要求（視聴）であるかを判断する。そして、応答要求対応処理実行部３２は、受信した応答要求が応答要求（録画）であるか応答要求（視聴）であるかの判断結果に基づいて予め定められた処理を行う。なお、この処理の詳細については後述する。
【０２１０】
リモコンアプリ３３は、遠隔操作装置３００’をリモコンとして機能させるためのものである。すなわち、リモコンアプリ３３の起動時は、遠隔操作装置３００’にて操作対象装置２００’を操作することができ、リモコンアプリ３３が起動していない間は、遠隔操作装置３００’は通常の携帯電話機として機能する。リモコンアプリ３３は、操作部３０８への所定の入力操作で起動すると共に、応答要求対応処理実行部３２から指示が有った場合にも起動する。
【０２１１】
ワンセグチューナ３４は、ワンセグ放送を受信するためのチューナである。ワンセグチューナ３４は、操作部３０８への入力操作に従って、指定されたチャンネルの放送波を受信し、これを所定の信号に変換して出力する。そして出力された信号は、デコード等の処理を施が施され、受信したチャンネルの映像や音声が音声出力部３０５及び表示部３０７から出力される。なお、本実施形態では、遠隔操作装置３００’がワンセグ放送を受信するチューナを備えている例について説明するが、遠隔操作装置３００’は、操作対象装置２００’が受信可能な放送と同様の内容の放送を受信し、出力することができるようになっていればよく、この例に限られない。例えば、遠隔操作装置３００’は、ワンセグチューナ３４の代わりに、地上デジタルチューナ等を備えていてもよい。
【０２１２】
〔遠隔操作システム１００’における処理の流れ（操作対象装置２００’側）〕
以上の構成を備える操作対象装置２００’が実行する処理の流れについて、図１９に基づいて説明する。図１９は、操作対象装置２００’が実行する処理の一例を示すフローチャートである。
【０２１３】
まず、予約実行制御部２１は、予約情報４を参照して開始時刻のｔ分前になる予約があるか確認し（Ｓ１）、開始時刻のｔ分前になる予約がある場合には、その予約が録画予約であるか否かを確認する（Ｓ２）。
【０２１４】
予約が録画予約である場合（Ｓ２でＹＥＳ）には、予約実行制御部２１は、予約元有無確認部３に指示して、応答要求（録画）、端末ＩＤ、及びステータス情報を送信させる。そして、指示を受けた予約元有無確認部３は、被操作側第２通信部２０９を介して上記応答要求（録画）、端末ＩＤ、及びステータス情報を送信する（Ｓ４１）。なお、端末ＩＤは遠隔操作装置記憶部３１０から読み出した端末ＩＤ１４であり、ステータス情報はステータス判断部２２に指示して生成させたものである。
【０２１５】
一方、予約が録画予約ではない場合（Ｓ２でＮＯ）には、予約実行制御部２１は、予約元有無確認部３に指示して、応答要求（視聴）、端末ＩＤ、及びステータス情報を送信させる。そして、指示を受けた予約元有無確認部３は、被操作側第２通信部２０９を介して上記応答要求（視聴）、端末ＩＤ、及びステータス情報を送信する（Ｓ４２）。なお、応答要求（視聴）は遠隔操作装置３００’が応答要求（録画）と識別可能なデータであり、端末ＩＤは遠隔操作装置記憶部３１０から読み出した端末ＩＤ１４であり、ステータス情報はステータス判断部２２に指示して生成させたものである。
【０２１６】
Ｓ４１またはＳ４２にて応答要求等を送信した予約元有無確認部３は、応答の受信を待ち受ける（Ｓ４３）。応答の受信を確認した場合（Ｓ４３でＹＥＳ）には、予約元有無確認部３は、その旨を予約実行制御部２１に伝達する。
【０２１７】
応答を受信した旨の伝達を受けた予約実行制御部２１は、予約が録画予約であるか否かを確認する（Ｓ９）。録画予約であれば予約実行部１によって予約開始時刻に録画が実行される（Ｓ１０）。
【０２１８】
続いて、予約実行制御部２１は、ステータス判断部２２から現在の操作対象装置２００’の動作状態を示すステータス情報を取得し、操作対象装置２００’の動作状態が待機状態であるか否かを確認する（Ｓ４４）。待機状態である場合（Ｓ４４でＹＥＳ）には、予約実行制御部２１は、電源制御及びチャンネル変更を実行する（Ｓ１１）。すなわち、この場合には、操作対象装置２００’の動作状態が待機状態からテレビ出力状態に移行し、その出力チャンネルが予約したチャンネルに切り換わる。
【０２１９】
一方、操作対象装置２００’の動作状態が待機状態ではない場合（Ｓ４４でＮＯ）には、操作対象装置２００’の動作状態が既にテレビ出力状態であるから、予約実行制御部２１は、チャンネル変更を行う（Ｓ４５）。Ｓ１１またはＳ４５の終了後、処理はＳ１に戻り、予約実行制御部２１は、開始時刻のｔ分前になる予約の有無を確認する。
【０２２０】
ここで、Ｓ４３にて、応答の受信が確認されない場合（Ｓ４３でＮＯ）には、予約実行制御部２１は、チャンネル情報要求を受信したか否かを確認する（Ｓ４６）。チャンネル情報要求の受信が確認されなかった場合（Ｓ４６でＮＯ）には、予約実行制御部２１は、予約の開始時刻になったか否かを確認する（Ｓ７）。
【０２２１】
予約の開始時刻になっている場合（Ｓ７でＹＥＳ）であって、予約が録画予約である場合には、予約実行部１によって予約時刻に録画が実行される（Ｓ８）。一方、予約の開始時刻になっている場合（Ｓ７でＹＥＳ）であって、予約が視聴予約である場合には、予約実行制御部２１は、予約実行部１に指示して予約時刻に録画を実行させる（Ｓ８）。なお、予約の開始時刻になっていない場合（Ｓ７でＮＯ）には、処理はＳ４３に戻り、予約実行制御部２１は、応答を受信したか否かを確認する。
【０２２２】
チャンネル情報要求の受信が確認された場合（Ｓ４６でＹＥＳ）には、予約実行制御部２１は、予約情報４から予約されているチャンネルを読み出し、読み出したチャンネルをチャンネル情報として遠隔操作装置３００’に送信する（Ｓ４７）。
【０２２３】
そして、予約が録画予約である場合には（Ｓ４８でＹＥＳ）、予約実行部１によって予約時刻に録画が実行される（Ｓ８）。一方、予約が録画予約ではない場合（Ｓ４８でＮＯ）には、処理はＳ１に戻り、予約実行制御部２１は、開始時刻のｔ分前になる予約の有無を確認する。
【０２２４】
〔遠隔操作システム１００’における処理の流れ（遠隔操作装置３００’側）〕
続いて、遠隔操作装置３００’が実行する処理の流れについて、図２０に基づいて説明する。図２０は、遠隔操作装置３００’が実行する処理の一例を示すフローチャートである。
【０２２５】
まず、ＩＤ照合部３１は、応答要求、端末ＩＤ、及びステータス情報の受信を待ち受け（Ｓ５１）、応答要求、端末ＩＤ、及びステータス情報の受信を確認すると（Ｓ５２）、受信した端末ＩＤが自機のものであるか否かを確認する（Ｓ５２）。具体的には、ＩＤ照合部３１は、受信した端末ＩＤと遠隔操作装置記憶部３１０に格納されている端末ＩＤ１４とが一致するか否かを確認し、一致した場合に受信した端末ＩＤが自機のものであると判断する。なお、受信した端末ＩＤが自機のものであることが確認されなかった場合（Ｓ５２でＮＯ）には、ＩＤ照合部３１は、Ｓ５１に戻って応答要求、端末ＩＤ、及びステータス情報の受信を待ち受ける。
【０２２６】
受信した端末ＩＤが自機のものであることが確認された場合（Ｓ５２でＹＥＳ）には、ＩＤ照合部３１は、応答要求、端末ＩＤ、及びステータス情報を受信した旨を応答要求対応処理実行部３２に伝達する。伝達を受けた応答要求対応処理実行部３２は、応答要求の受信を音や振動、光等で遠隔操作装置３００’のユーザに報知する（Ｓ２２）。
【０２２７】
続いて、応答要求対応処理実行部３２は、受信した応答要求が応答要求（録画）であるか否かを確認し（Ｓ２３）、応答要求（録画）である場合には、録画予約された番組を視聴するか視聴しないかをユーザに選択させる選択画面を表示する（Ｓ２４）。ここで、視聴しない旨の入力操作が行われた場合（Ｓ２６でＹＥＳ）には、処理はＳ５１に戻る。
【０２２８】
一方、視聴する旨の入力操作が行われた場合（Ｓ２５でＹＥＳ）には、処理はＳ５４に進む。Ｓ５４では、応答要求対応処理実行部３２は、ＩＤ照合部３１に指示して操作対象装置２００’に応答を送信させ（Ｓ５４）、リモコンアプリ３３を起動させる（Ｓ３０）。
【０２２９】
ここで、Ｓ２３において、受信した応答要求が応答要求（録画）ではなく、応答要求（視聴）であることが確認された場合（Ｓ２３でＮＯ）には、応答要求対応処理実行部３２は、応答要求及び端末ＩＤと共に受信したステータス情報が待機状態であるか否かを確認する（Ｓ５３）。
【０２３０】
ステータス情報が待機状態である場合（Ｓ５３でＹＥＳ）には、応答要求対応処理実行部３２は、ＩＤ照合部３１に指示して操作対象装置２００’に応答を送信させ（Ｓ５４）、リモコンアプリ３３を起動させる（Ｓ３０）。
【０２３１】
一方、ステータス情報が待機状態ではない場合（Ｓ５３でＮＯ）には、応答要求対応処理実行部３２は、ワンセグ視聴を行うか、視聴予約を実行するか、あるいは予約番組の視聴を取り消すかをユーザに選択させる選択画面を表示する（Ｓ５５）。
【０２３２】
この選択画面は、ユーザにワンセグ視聴を行うか、視聴予約を実行するか、あるいは予約番組の視聴を取り消すかの入力を促すものであればよく、特に限定されないが、例えば図２１に示すような画像を表示すればよい。図２１は、ワンセグ視聴を行うか、視聴予約を実行するか、あるいは予約番組の視聴を取り消すかをユーザに選択させる選択画面の一例を示す図である。
【０２３３】
選択画面が表示されると、応答要求対応処理実行部３２は、ワンセグ視聴、視聴予約の実行、または取り消しの何れかが選択されるのを待ち受ける（Ｓ５６〜Ｓ５８）。視聴予約の実行が選択された場合（Ｓ５７でＹＥＳ）には、応答要求対応処理実行部３２は、ＩＤ照合部３１に指示して操作対象装置２００’に応答を送信させ（Ｓ５４）、リモコンアプリ３３を起動させる（Ｓ３０）。また、取り消しが選択された場合（Ｓ５８でＹＥＳ）には、処理はＳ５１に戻る。
【０２３４】
一方、ワンセグ視聴が選択された場合（Ｓ５６でＹＥＳ）には、応答要求対応処理実行部３２は、操作側第２通信部３０２を介して操作対象装置２００’にチャンネル情報要求を送信する（Ｓ５９）。
【０２３５】
チャンネル情報要求を送信した場合には、図１９のＳ４６及びＳ４７の処理により、視聴予約されていた番組のチャンネル情報が操作対象装置２００’から送信されるので、応答要求対応処理実行部３２は、操作側第２通信部３０２を介してチャンネル情報を受信する（Ｓ６０）。
【０２３６】
そして、応答要求対応処理実行部３２は、ワンセグチューナ３４を起動させると共に、上記受信したチャンネル情報に基づいて、視聴予約されていた番組と同じ内容の番組がワンセグ放送にて受信されるように、ワンセグチューナ３４の受信チャンネルを切り換える（Ｓ６１）。
【０２３７】
〔録画中の制御（操作対象装置２００’側）〕
続いて、録画中に操作対象装置２００’が実行する処理の流れについて、図２２に基づいて説明する図２２は、録画中に操作対象装置２００’が実行する処理の一例を示すフローチャートである。
【０２３８】
録画中制御実行部２３は、録画中であるか否かを確認し（Ｓ７１）、録画中である場合には、ステータス判断部２２にステータス情報を生成させ、生成されたステータス情報に基づいて操作対象装置２００’が待機状態であるか否かを判断する（Ｓ７２）。待機状態ではない場合（Ｓ７２でＮＯ）には、操作対象装置２００’がテレビ番組を出力中であるから、そのままテレビ番組を継続表示させる（Ｓ７３）。
【０２３９】
一方、操作対象装置２００’が待機状態である場合（Ｓ７２でＹＥＳ）には、録画中制御実行部２３は、予約元有無確認部３に指示して、応答要求（録画中）及び録画中の番組に対応する端末ＩＤを送信させる（Ｓ７４）。なお、応答要求（録画中）は、操作対象装置２００’が録画中であることを示す応答要求であり、遠隔操作装置３００’が応答要求（録画）及び応答要求（視聴）と識別可能な信号である。
【０２４０】
応答要求（録画中）及び端末ＩＤを送信した予約元有無確認部３は、応答を受信したときに、応答の受信を録画中制御実行部２３に通知するので、録画中制御実行部２３は、応答の受信が通知されるのを待ち受ける（Ｓ７５）。
【０２４１】
応答の受信が確認できなかった場合（Ｓ７５でＮＯ）には、録画中制御実行部２３は、応答要求（録画中）及び端末ＩＤの送信から一定時間が経過したか否かを確認し（Ｓ７６）、一定時間を経過していた場合（Ｓ７６でＹＥＳ）にはＳ７１に戻って録画中であるか否かを確認する。一方、一定時間が経過していない場合（Ｓ７６でＮＯ）には、処理はＳ７５に戻り、録画中制御実行部２３は、応答の受信を確認する。
【０２４２】
ここで、Ｓ７５にて応答の受信が確認された場合（Ｓ７５でＹＥＳ）には、録画中制御実行部２３は、受信した応答が再生の応答であるか否かを確認する（Ｓ７７）。再生の応答である場合（Ｓ７７でＹＥＳ）には、録画中制御実行部２３は、操作対象装置２００’の表示をＯＮにすると共に、録画装置４００に指示して現在録画中の番組を録画データの先頭から再生させる（Ｓ７８）。
【０２４３】
受信した応答が再生の応答ではない場合（Ｓ７７でＮＯ）には、録画中制御実行部２３は、予約元有無確認部３に指示して応答要求（録画中）及び端末ＩＤの送信を終了させる（Ｓ７９）。
【０２４４】
〔録画中の制御（遠隔操作装置３００’側）〕
続いて、録画中に遠隔操作装置３００’が実行する処理の流れについて、図２３に基づいて説明する図２３は、録画中に遠隔操作装置３００’が実行する処理の一例を示すフローチャートである。
【０２４５】
ＩＤ照合部３１は、応答要求（録画中）及び端末ＩＤの受信を待ち受け（Ｓ８１）、受信が確認された場合には、受信した端末ＩＤが自機のものであるか否かを確認する（Ｓ８２）。そして、応答要求（録画中）及び端末ＩＤの受信を確認し、かつ受信した端末ＩＤが自機のものであることが確認された場合（Ｓ８２でＹＥＳ）には、ＩＤ照合部３１は、その旨を応答要求対応処理実行部３２に伝達する。
【０２４６】
上記伝達を受けた応答要求対応処理実行部３２は、応答要求の受信を音、振動、光等でユーザに報知する（Ｓ８３）。また、応答要求対応処理実行部３２は、録画中の番組を再生するか、または録画中の番組を再生せずに処理を終了するかをユーザに選択させる選択画面を表示する（Ｓ８４）。
【０２４７】
上記選択画面は、ユーザに録画中の番組を再生するか、または録画中の番組を再生せずに処理を終了するかの入力を促すものであればよく、特に限定されないが、例えば図２４に示すような画像を表示すればよい。図２４は、録画中の番組を再生するか、または録画中の番組を再生せずに処理を終了するかをユーザに選択させる選択画面の一例を示す図である。
【０２４８】
選択画面が表示されると、応答要求対応処理実行部３２は、再生または終了の何れかが選択されるのを待ち受ける（Ｓ８５、Ｓ８８）。再生が選択された場合（Ｓ８５でＹＥＳ）には、応答要求対応処理実行部３２は、ＩＤ照合部３１に指示して操作対象装置２００’に録画中番組の再生を指示する応答を送信させる（Ｓ８６）と共に、リモコンアプリ３３を起動させる（Ｓ８７）。
【０２４９】
なお、Ｓ８７では、応答要求対応処理実行部３２は、録画再生操作用の画面が表示されるようにリモコンアプリ３３に指示する。これにより、例えば図２５に示すような画像が表示され、遠隔操作装置３００’への操作入力により、録画番組の再生に関する操作を実行できるようになる。
【０２５０】
図２５は、リモコンアプリ３３が表示させる表示画面の一例を示す図であり、録画再生操作用の画面例を示す図である。図示の例では、遠隔操作装置３００’の操作部３０８における上下の方向キーへの入力操作によって、再生されている番組の音量が増減し、左右の方向キーへの入力操作によって、早戻しまたは早送りが実行され、「２．消音」に対応する操作キーへの入力操作によって、再生されている番組の出力音量がゼロに設定され、「５．停止」に対応する操作キーへの入力操作によって、再生が停止されることを想定している。無論、これは表示画面の一例を示すものであり、操作可能な処理の種類、キー配置等は適宜変更することができる。
【０２５１】
なお、Ｓ８７では、リモコンアプリ３３は、図７（ａ）に示すような、テレビ操作用の表示画面を表示するようにしてもよい。この場合には、図７（ｂ）のメニュー画面から「録画番組を見る」を選択することによって、図２５に示すような録画再生操作用の表示画面が表示されるので、ユーザは録画再生操作を行うことができる。
【０２５２】
しかしながら、本実施形態のように、Ｓ８７にて録画再生画面を表示させることで、ユーザがなんら操作を行うことなく、録画再生操作を行うことができるので、Ｓ８７では録画再生画面を表示させることが好ましい。
【０２５３】
〔予約終了時の制御〕
次に、操作対象装置２００’において、録画予約または視聴予約がその終了時刻となったときに実行される処理について図２６及び図２７に基づいて説明する。ここでは、まず、図２６に基づいて予約終了時に操作対象装置２００’にて実行される処理の流れについて説明し、続いて図２７に基づいて予約終了時に遠隔操作装置３００’にて実行される処理の流れについて説明する。
【０２５４】
図２６は、予約終了時に操作対象装置２００’にて実行される処理の一例を示すフローチャートである。予約終了時制御実行部２４は、予約情報４を参照し、終了時刻になる予約があるかを一定時間毎に確認する（Ｓ９１）。そして、終了時刻になる予約がある場合（Ｓ９１）には、予約終了時制御実行部２４は、予約元有無確認部３に指示して応答要求（終了）を送信させる。なお、応答要求（終了）は、予約の終了時刻であることを示す応答要求であり、他の応答要求（応答要求（視聴）等）と識別可能な信号である。
【０２５５】
そして、応答要求（終了）を送信すると、予約元有無確認部３から予約終了時制御実行部２４へとその旨が伝達されるので、予約終了時制御実行部２４は、応答要求（終了）の送信から一定時間内に応答を受信したか否かを確認する（Ｓ９３、Ｓ９５）。
【０２５６】
一定時間内に応答の受信が確認された場合（Ｓ９３でＹＥＳ）には、操作対象装置２００’の操作可能範囲内に遠隔操作装置３００’が存在しているので、この場合には操作対象装置２００’にてテレビ視聴を行っているユーザが居ると考えられる。したがって、この場合には、予約終了時制御実行部２４は、テレビ表示を継続させる（Ｓ９４）。
【０２５７】
一方、応答要求の送信から一定時間内に応答の受信が確認できなかった場合（Ｓ９３でＮＯかつＳ９５でＹＥＳ）には、操作対象装置２００’の操作可能範囲内に遠隔操作装置３００’が存在しておらず、操作対象装置２００’の近辺にユーザは不在であると考えられるので、予約終了時制御実行部２４は、電源制御を行い、操作対象装置２００’のテレビ表示をＯＦＦにする（Ｓ９６）。
【０２５８】
続いて、予約終了時に遠隔操作装置３００’にて実行される処理の流れについて図２７に基づいて説明する。図２７は、予約終了時に遠隔操作装置３００’にて実行される処理の一例を示すフローチャートである。ＩＤ照合部３１は、応答要求（終了）の受信を待ち受け（Ｓ１０１）、応答要求（終了）の受信を確認した場合（Ｓ１０１）に操作側第２通信部３０２を介して操作対象装置２００’に応答を送信する。
【０２５９】
なお、上記予約終了時の制御を行う場合には、以下のような問題が発生する可能性がある。すなわち、視聴予約の実行中に遠隔操作装置３００’のユーザが操作対象装置２００’の操作可能範囲から出てしまい、視聴予約の終了時刻に操作対象装置２００’の操作可能範囲に、操作対象装置２００’が送信する応答要求（終了）に返答を返す機器がない場合であっても、例えば従来の一般的なリモコンを使用して操作対象装置２００’にてテレビ視聴を行っているユーザが存在することも考えられる。この場合には、一般的なリモコンを使用してテレビ視聴を行っているユーザのテレビ視聴が妨げられるので好ましくない。
【０２６０】
そこで、例えば視聴予約の実行中に、応答を返す機能を有していないリモコンからの操作があった場合には、該視聴予約の終了時刻になっても、テレビ出力を継続し、応答要求（終了）の送信も行わないようにしてもよい。これにより、一般的なリモコンを使用してテレビ視聴を行っているユーザのテレビ視聴が妨げられることがなくなる。
【０２６１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２６２】
最後に、操作対象装置２００、遠隔操作装置３００、操作対象装置２００’、及び遠隔操作装置３００’の各ブロック、特に操作対象装置制御部２０３、遠隔操作装置制御部３０６、操作対象装置制御部２０３’、及び遠隔操作装置制御部３０６’は、ハードウェアロジックによって構成してもよいし、次のようにＣＰＵを用いてソフトウェアによって実現してもよい。
【０２６３】
すなわち、操作対象装置２００、遠隔操作装置３００、操作対象装置２００’、または遠隔操作装置３００’は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである操作対象装置２００、遠隔操作装置３００、操作対象装置２００’、及び遠隔操作装置３００’の制御プログラムのプログラムコード（実行形式プログラム、中間コードプログラム、ソースプログラム）をコンピュータで読み取り可能に記録した記録媒体を、上記操作対象装置２００、遠隔操作装置３００、操作対象装置２００’、または遠隔操作装置３００’に供給し、そのコンピュータ（またはＣＰＵやＭＰＵ）が記録媒体に記録されているプログラムコードを読み出し実行することによっても、達成可能である。
【０２６４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２６５】
また、操作対象装置２００、遠隔操作装置３００、操作対象装置２００’、または遠隔操作装置３００’を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２６６】
遠隔操作装置が送信する操作信号によって遠隔操作され、予め設定した予約時刻に予め設定した動作を実行する装置であれば、本発明を適用することができる。特に、放送受信装置等のように、予約時刻において、操作対象装置の近辺にユーザが居るか居ないかに応じて予約された動作を変更することが好ましい装置に好適に適用できる。
【図面の簡単な説明】
【０２６７】
【図１】本発明の実施形態を示すものであり、操作対象装置及び遠隔操作装置の要部構成を示すブロック図である。
【図２】操作対象装置及び遠隔操作装置を含む遠隔操作システムの要部構成を示すブロック図である。
【図３】予約開始時刻の一定時間前に、上記遠隔操作装置が上記操作対象装置の操作可能範囲に存在する場合の動作例を示す図である。
【図４】予約の設定を行った上記遠隔操作装置が確認時刻に上記操作対象装置の操作可能範囲に存在せず、上記遠隔操作装置以外の遠隔操作装置が上記操作対象装置の操作可能範囲に存在する場合の動作例を示す図である。
【図５】確認時刻において、上記遠隔操作装置も他の遠隔操作装置も上記操作対象装置の操作可能範囲に存在しない場合の動作例を示す図である。
【図６】上記操作対象装置における予約の設定方法を示す図である。
【図７】同図（ａ）〜（ｄ）は、リモコンアプリ起動時に上記遠隔操作装置に表示される表示画面例を示す図である。
【図８】上記操作対象装置が記憶している予約情報の一例を示す図である。
【図９】上記遠隔操作システムにおいて、上記操作対象装置が実行する処理の一例を示すフローチャートである。
【図１０】上記遠隔操作システムにおいて、上記遠隔操作装置が実行する処理の一例を示すフローチャートである。
【図１１】録画予約された番組を視聴するか否かの選択をユーザに促す表示画面の一例を示す図である。
【図１２】本発明の上記とは別の実施形態を示す図であり、確認時刻に、遠隔操作装置が操作対象装置の操作可能範囲に存在する場合の動作例を示す図である。
【図１３】確認時刻に、上記遠隔操作装置が上記操作対象装置の操作可能範囲に存在しない場合の動作例を示す図である。
【図１４】確認時刻に上記操作対象装置にてテレビ番組の視聴が行われている場合に、上記遠隔操作装置が上記操作対象装置の操作可能範囲に存在するときの動作例を示す図である。
【図１５】録画中に上記遠隔操作装置が上記操作対象装置の操作可能範囲に入ってきたときの動作例を示す図である。
【図１６】予約の終了時刻に上記遠隔操作装置が上記操作対象装置の操作可能範囲に存在する場合の動作例を示す図である。
【図１７】予約の終了時刻に上記遠隔操作装置が上記操作対象装置の操作可能範囲に存在しない場合の動作例を示す図である。
【図１８】上記操作対象装置及び上記遠隔操作装置の要部構成を示すブロック図である。
【図１９】上記操作対象装置が実行する処理の一例を示すフローチャートである。
【図２０】上記遠隔操作装置が実行する処理の一例を示すフローチャートである。
【図２１】ワンセグ視聴を行うか、視聴予約を実行するか、あるいは予約番組の視聴を取り消すかをユーザに選択させる選択画面の一例を示す図である。
【図２２】録画中に上記操作対象装置が実行する処理の一例を示すフローチャートである。
【図２３】録画中に上記遠隔操作装置が実行する処理の一例を示すフローチャートである。
【図２４】録画中の番組を再生するか、または録画中の番組を再生せずに処理を終了するかをユーザに選択させる選択画面の一例を示す図である。
【図２５】リモコンアプリが表示させる表示画面の一例を示す図であり、録画再生操作用の画面例を示す図である。
【図２６】予約終了時に上記操作対象装置にて実行される処理の一例を示すフローチャートである。
【図２７】予約終了時に上記遠隔操作装置にて実行される処理の一例を示すフローチャートである。
【図２８】従来技術を示すものであり、ユーザの在、不在に応じて視聴予約を録画に切り換える技術を説明する図である。
【符号の説明】
【０２６８】
１    予約実行部（予約実行手段、記録制御手段）
２    予約元照合部（予約元照合手段、予約実行制御手段、遠隔操作開始手段）
３    予約元有無確認部（操作信号受信可否判断手段）
４    予約情報
１１    応答送信部
１２    応答要求対応処理実行部（遠隔操作可否判断手段、実行可否選択手段）
１３    リモコンアプリ
１４    端末ＩＤ
２１    予約実行制御部（予約実行制御手段）
２２    ステータス判断部
２３    録画中制御実行部（記録中制御実行手段）
２４    予約終了時制御実行部（予約終了時制御実行手段）
３１    ＩＤ照合部
３２    応答要求対応処理実行部（遠隔操作可否判断手段、実行可否選択手段、チャンネル情報取得手段）
３３    リモコンアプリ
３４    ワンセグチューナ
１００  遠隔操作システム
２００、２００’  操作対象装置
２０３、２０３’  操作対象装置制御部
２０７  操作対象装置記憶部（予約情報記憶部）
２０９  被操作側第２通信部
３００、３００’  遠隔操作装置
３０２  操作側第２通信部
３０６、３０６’  遠隔操作装置制御部
３１０  遠隔操作装置記憶部
【図１】
0005295598.tif 000002
【図２】
0005295598.tif 000003
【図３】
0005295598.tif 000004
【図４】
0005295598.tif 000005
【図５】
0005295598.tif 000006
【図６】
0005295598.tif 000007
【図７】
0005295598.tif 000008
【図８】
0005295598.tif 000009
【図９】
0005295598.tif 000010
【図１０】
0005295598.tif 000011
【図１１】
0005295598.tif 000012
【図１２】
0005295598.tif 000013
【図１３】
0005295598.tif 000014
【図１４】
0005295598.tif 000015
【図１５】
0005295598.tif 000016
【図１６】
0005295598.tif 000017
【図１７】
0005295598.tif 000018
【図１８】
0005295598.tif 000019
【図１９】
0005295598.tif 000020
【図２０】
0005295598.tif 000021
【図２１】
0005295598.tif 000022
【図２２】
0005295598.tif 000023
【図２３】
0005295598.tif 000024
【図２４】
0005295598.tif 000025
【図２５】
0005295598.tif 000026
【図２６】
0005295598.tif 000027
【図２７】
0005295598.tif 000028
【図２８】
0005295598.tif 000029